(57)【要約】      （修正有）【課題】ボトル内の飲料をユーザーにフィルターを通して吸いながら飲むことを要求しない、飲料を処理及び摂取する為のボトルシステム及び方法の提供。【解決手段】ボトル２２、蓋２４、及び、フィルター要素５８等の飲料改良要素を有し、フィルター要素は、ボトルの内部空間を濾過済み飲料室５４と未濾過飲料室４２に分けるように配置され、管４４は、フィルターを通過して濾過済み飲料室と流体連通しており、管は、未濾過飲料室を通ってボトルの蓋のノズルまで延在し、蓋カバー２８は、ノズル３０を囲んで閉鎖するように蓋に固定可能であり、フィルターカートリッジを設けてもよく、紫外線殺菌装置を設けてもよく、空気バイパスを設けてもよい飲料濾過又は処理ボトルシステム２０。【選択図】図１
2015006658.tif 000002
【特許請求の範囲】
【請求項１】
内部の飲料室と、本体開口部とを規定するボトル本体と、
前記ボトル本体の前記飲料室内に配置され、それによって前記飲料室を濾過済み飲料室と未濾過飲料室に分けるフィルターと、
前記濾過済み飲料室からほぼ前記本体開口部まで延在する移送管であって、前記未濾過飲料室と流体連通することなく前記未濾過飲料室を通過する前記移送管と、
前記ボトル本体に固定可能で、それによって前記本体開口部を全般的に覆う蓋であって、飲用縁によって規定される飲用開口部を含んでおり、前記飲用開口部は、前記移送管を介して前記濾過済み飲料室と流体連通して、前記蓋が前記ボトル本体に固定されているときに、前記濾過済み飲料室からの濾過済み飲料が前記濾過済み飲料室から流れて前記移送管を通って前記飲用開口部から出るようになっている前記蓋と、を有する、飲料ボトルシステム。
【請求項２】
前記移送管は、第１端及び第２端を有し、前記第１端は、前記ボトル本体内に配置されており、前記第２端は、前記蓋が前記ボトル本体に固定されているときに前記飲用開口部と流体連通して構成されており、
前記移送管の前記第１端に取り付けられたフィルターホルダーであって、前記フィルター及びフィルターホルダーが前記ボトル本体の前記飲料室を前記濾過済み飲料室と前記未濾過飲料室に分けるように、前記ボトル本体内で前記フィルターを位置付ける、前記フィルターホルダーを更に有する、請求項１に記載の飲料ボトルシステム。
【請求項３】
前記フィルターホルダーは、前記移送管の前記第１端に取り付けられてそれを囲んでおり、
前記フィルターは、前記フィルターが前記フィルターホルダーに取り付けられたときに前記移送管がそれを通って延在する開口部を規定する、請求項２に記載の飲料ボトルシステム。
【請求項４】
前記フィルターは、前記フィルターが前記フィルターホルダーに取り付けられたときに前記移送管がそれを通って延在する中央開口部を規定する単体構造のフィルター材料を有する、請求項３に記載の飲料ボトルシステム。
【請求項５】
前記フィルターホルダーに取り外し可能に配置されたフィルターカートリッジであって、フィルター媒体を含んでおり、前記フィルター媒体は、飲料が前記未濾過飲料室から前記濾過済み飲料室へ前記フィルター媒体を通過するときに前記飲料を濾過するように構成されている、前記フィルターカートリッジを更に有する、請求項３に記載の飲料ボトルシステム。
【請求項６】
前記フィルターカートリッジは、カートリッジ本体とフィルターカバーを含んでおり、前記フィルターカバーは、前記カートリッジ本体内のフィルター空間にフィルター媒体を囲むように前記カートリッジ本体に固定可能である、請求項５に記載の飲料ボトルシステム。
【請求項７】
前記カートリッジ本体は、内側略円筒壁と、前記内側略円筒壁と略同軸になるように配置された外側略円筒壁とを含み、前記内側略円筒壁と前記外側略円筒壁の間に延在する第１有孔壁を含んでおり、
前記フィルターカバーは第２有孔壁を有する、請求項６に記載の飲料ボトルシステム。
【請求項８】
前記カートリッジ本体は、
前記外側略円筒壁と前記フィルターホルダーの間に延在する第１リップと、
前記内側略円筒壁と前記移送管の間に延在する第２リップとを有する、請求項７に記載の飲料ボトルシステム。
【請求項９】
前記移送管は、前記カートリッジ本体の前記内側略円筒壁を受け止めるように構成された段差部を含んでおり、
前記フィルターハウジングは、前記カートリッジ本体の前記外側略円筒壁を受け止めるように構成された段差部を有する、請求項７に記載の飲料ボトルシステム。
【請求項１０】
前記フィルターカートリッジは外壁を含んでおり、
前記フィルターホルダーは、前記フィルターカートリッジの前記外壁の部分に露出するリセスを前記フィルターホルダーに規定し、前記フィルターカートリッジの前記外壁の前記露出部分は、前記フィルターホルダーから前記フィルターカートリッジを取り外すときにユーザーが把持するように構成された前記フィルターカートリッジのグリップ部分である、請求項５に記載の飲料ボトルシステム。
【請求項１１】
前記フィルターホルダーは、環状外壁と、前記環状外壁を前記移送管に接続する複数のリブとを有する、請求項２に記載の飲料ボトルシステム。
【請求項１２】
前記複数のリブは、前記フィルターホルダーの下端に滴下帯を規定するために、前記リブの湾曲下縁を有する、請求項１１に記載の飲料ボトルシステム。
【請求項１３】
前記フィルターホルダーと前記フィルターカートリッジの間で操作可能で、前記フィルターカートリッジを前記フィルターホルダー内に選択的に固定するロックを更に有する、請求項２に記載の飲料ボトルシステム。
【請求項１４】
前記ロックは、前記フィルターホルダーと前記フィルターカートリッジの間の回転運動によって少なくとも部分的に機能するように構成される、請求項１３に記載の飲料ボトルシステム。
【請求項１５】
前記ロックは、前記フィルターカートリッジから延在する突出部と、前記フィルターカートリッジから延在する前記突出部と係合する前記フィルターホルダーの傾斜チャネルとを有する、請求項１４に記載の飲料ボトルシステム。
【請求項１６】
前記ボトル本体は、前記濾過済み飲料室を有する内部空間を規定する取り外し可能なボトル本体要素を有する、請求項１に記載の飲料ボトルシステム。
【請求項１７】
前記ボトル本体の前記飲料室内に位置する支持要素であって、フィルターホルダーを受け止めて、前記フィルターホルダーを前記ボトル本体の所定の位置に支持するように構成された前記支持要素を更に有する、請求項１に記載の飲料ボトルシステム。
【請求項１８】
前記支持要素は、前記ボトル本体の壁から内方に延在して、前記フィルターホルダーが配置される表面を規定する少なくとも１つの支持突出部を有する、請求項１７に記載の飲料ボトルシステム。
【請求項１９】
前記少なくとも１つの支持突出部は、前記濾過済み飲料室の底部から延在するフィンを有する、請求項１８に記載の飲料ボトルシステム。
【請求項２０】
前記移送管は、第１端及び第２端を有し、前記第１端は、前記ボトル本体内に配置されており、前記第２端は、前記蓋が前記ボトル本体に固定されているときに前記飲用開口部と流体連通するように構成されており、
前記飲用開口部と流体連通して接続されたスリーブであって、前記蓋が前記ボトル本体に固定されているときに前記移送管の前記第２端を受け止めるように構成されている前記スリーブを更に有する、請求項１に記載の飲料ボトルシステム。
【請求項２１】
前記スリーブ内に配置されて、前記移送管の前記第２端と密封係合するように構成されているガスケットを更に有する、請求項２０に記載の飲料ボトルシステム。
【請求項２２】
前記蓋の通気開口部に配置された通気バルブであって、前記ボトル本体の前記飲料室に空気が流れ込むことを可能にするが、前記通気バルブを介して液体が前記ボトル本体の前記飲料室から出るのを遮断するように構成されている、前記通気バルブを更に有する、請求項１に記載の飲料ボトルシステム。
【請求項２３】
前記通気バルブは中央ステムを有する傘状バルブであって、前記中央ステムは、前記中央ステムと前記蓋の間の空気流開口部を規定するように前記通気開口部内に接続されており、前記傘状バルブは、前記中央ステムから延在し、前記蓋と接触する傘状膜を含んでおり、前記膜は、屈曲して前記ボトル本体の前記飲料室に空気が流れ込むことを可能にするように構成されるが、前記通気開口部を介して液体が前記ボトル本体の前記飲料室から流れるのを遮断するように密封されたままである、請求項２２に記載の飲料ボトルシステム。
【請求項２４】
前記通気バルブは、前記通気開口部を介して液体が前記ボトル本体の前記飲料室から流れ出るのを抑止する密封面と密封接触する少なくとも１つのリーフ部材を含み、前記少なくとも１つのリーフ部材は、前記ボトル本体内の気圧が外気圧以下に低下したときに前記ボトル本体の前記飲料室への空気入口を形成するために屈曲して密封接触を断つように構成されている、請求項２２に記載の飲料ボトルシステム。
【請求項２５】
前記少なくとも１つのリーフ部材は、前記密封面で互いに密封接触する第１及び第２のリーフ要素を含み、前記第１及び第２のリーフ要素は、前記ボトル本体の前記飲料室内の気圧が外気圧以下に低下したときに前記ボトル本体の前記飲料室への空気入口を形成するために屈曲して互いの密封接触を断つように構成されている、請求項２４に記載の飲料ボトルシステム。
【請求項２６】
前記蓋の前記少なくとも１つのリーフ部材を保持する保持リングを更に有する、請求項２４に記載の飲料ボトルシステム。
【請求項２７】
前記蓋に枢着された蓋カバーと、
前記蓋カバーを前記蓋の閉位置に固定するように前記蓋と前記蓋カバーの間で係合可能なラッチであって、前記蓋カバーを前記閉位置から解除するように選択的に操作可能である前記ラッチと、を更に有する、請求項１に記載の飲料ボトルシステム。
【請求項２８】
前記蓋カバー内に配置され、前記蓋カバーが前記閉位置に固定されているときに前記飲用開口部を密封するように構成されたノズルストッパーを更に有する、請求項２７に記載の飲料ボトルシステム。
【請求項２９】
前記蓋カバーが開位置に移動した後、前記蓋カバーを全開位置に保持するように前記蓋と前記蓋カバーの間で接続されるＯリングスプリングを更に有する、請求項２７に記載の飲料ボトルシステム。
【請求項３０】
前記蓋カバーを前記蓋に接続するヒンジであって、前記Ｏリングスプリングは、前記蓋カバーが前記閉位置にあるときに少なくとも部分的に前記ヒンジの周囲に配置されている、前記ヒンジを更に有する、請求項２９に記載の飲料ボトルシステム。
【請求項３１】
前記蓋は前記飲料室への通気開口部を規定し、
前記蓋カバーのリセスであって、リセスフロアを有する前記リセスと、
前記リセスフロアに配置され、前記蓋カバーが前記閉位置にあるときに前記通気開口部と密封接触するように構成された通気シールと、を更に有する、請求項２７に記載の飲料ボトルシステム。
【請求項３２】
前記蓋を前記蓋カバーに接続するヒンジと、
前記ヒンジに接続されたキャリーループであって、前記蓋及び前記蓋カバーの一方と旋回接触する旋回コネクタを含み、前記旋回コネクタは前記ヒンジの軸方向に延在する中央開口部を規定している、前記キャリーループと、
前記中央開口部に配置されたヒンジピンと、を更に有する、請求項２７に記載の飲料ボトルシステム。
【請求項３３】
ボトル本体は、支持面を有する略円筒体と、前記略円筒体の反対側の本体開口部とを含み、前記ボトル本体が直立していて前記支持面が略水平面の上にあるときに前記前記未濾過飲料室が前記濾過済み飲料室の上に配置されており、
前記フィルターは、前記ボトル本体が直立しているときに前記未濾過飲料室内の飲料が重力によって前記フィルターを通って前記濾過済み飲料室に流れ込むことができるように構成される、請求項１に記載の飲料ボトルシステム。
【請求項３４】
前記フィルターホルダーに取り付けられ、前記未濾過飲料室と前記濾過済み飲料室の間の液密シールを形成するために前記ボトル本体の内面と密封係合して配置されたガスケットを更に有する、請求項１に記載の飲料ボトルシステム。
【請求項３５】
前記移送管は、ほぼ前記移送管の長さに沿って延在し、空気通路を形成するように構成された少なくとも１つの通気管を有する、請求項１に記載の飲料ボトルシステム。
【請求項３６】
前記移送管と前記蓋の間で密封係合し、前記未濾過飲料室内の未濾過飲料が、前記移送管を通って前記ノズルに入った濾過済み飲料と接触するのを実質的に防止するように構成されたガスケットを更に有する、請求項１に記載の飲料ボトルシステム。
【請求項３７】
前記ボトル本体は、二重壁構造を有する真空断熱ボトル本体である、請求項１に記載の飲料ボトルシステム。
【請求項３８】
前記ボトル本体は略円筒状であり、
前記移送管は、前記略円筒状ボトル本体の長手方向軸にほぼ沿って配置される、請求項１に記載の飲料ボトルシステム。
【請求項３９】
前記飲用開口部は、前記ボトル本体の前記軸からオフセットされる、請求項３８に記載の飲料ボトルシステム。
【請求項４０】
前記ボトル本体に取り付けられるように構成され、前記ボトル本体の前記濾過済み飲料室に紫外線を放出するように操作可能である紫外線殺菌装置ユニットを更に有する、請求項１に記載の飲料ボトルシステム。
【請求項４１】
前記濾過済み飲料室と前記未濾過飲料の間に空気通路を形成するように構成された空気再循環チャネルを更に有する、請求項１に記載の飲料ボトルシステム。
【請求項４２】
前記蓋は前記飲料室への通気開口部を規定し、前記空気再循環チャネルは、前記移送管及び前記通気開口部と流体連通して接続されており、
前記空気再循環チャネルと流体連通する通気バルブであって、
空気が前記濾過済み飲料室から前記未濾過飲料室に流れることを可能にすると共に、前記未濾過飲料室から前記濾過済み飲料室への流体流を遮断するように構成されている、前記通気バルブを更に有する、請求項４１に記載の飲料ボトルシステム。
【請求項４３】
ボトル本体と前記ボトル本体内に取り付けられたフィルターホルダーを有するシステム用のフィルターであって、前記フィルターホルダーは、前記ボトル本体の内部空間を未濾過飲料室と濾過済み飲料室に分けており、前記システムは、前記フィルターホルダーの略中心に接続された移送管を更に有しており、
フィルター要素及びフィルターカートリッジであって、一方が前記フィルターホルダーに嵌合するように構成された外側略円筒壁を有し、一方が前記移送管の一部の周囲に適合するように構成された内側略円筒壁を有し、一方がそれを通って流れる飲料を濾過するためのフィルター媒体含んでいる、前記フィルター要素及び前記フィルターカートリッジを更に有する、フィルター。
【請求項４４】
前記内側略円筒壁は、前記外側略円筒壁と略同軸である、請求項４３に記載のフィルター。
【請求項４５】
前記フィルター要素は生物分解性材料からなる、請求項４３に記載のフィルター。
【請求項４６】
前記フィルター要素及び前記フィルターカートリッジの一方は、
前記内側略円筒壁と前記外側略円筒壁の間に延在する第１及び第２の有孔壁であって、前記フィルター要素及び前記フィルターカートリッジの一方は、その中に前記フィルター媒体が配置される内部フィルター空間を規定している、前記第１及び第２の有孔壁からなる、請求項４３に記載のフィルター。
【請求項４７】
前記フィルターカートリッジは生物分解性材料からなる、請求項４６に記載のフィルター。
【請求項４８】
飲料室と本体開口部を規定し、支持面を有するボトル本体と、
前記飲料室を濾過済み飲料室と未濾過飲料室に分けるように前記ボトル本体の前記飲料室に配置されたフィルターであって、前記ボトル本体が前記支持面に支持されているときは前記未濾過飲料室が前記濾過済み飲料室の上に配置されており、前記未濾過飲料室内の飲料が重力によって前記フィルターを通って前記濾過済み飲料室に流れ込むことができるように構成されている前記フィルターと、
前記濾過済み飲料室からほぼ前記本体開口部まで延在し、前記濾過済み飲料室と飲用開口部の間に流体連通を提供するように構成された移送管であって、前記ボトル本体が前記支持面に支持されているときは前記未濾過飲料室内の飲料と流体連通することなく、ほぼ前記未濾過飲料室の底部から前記未濾過飲料室の上部まで延在する前記移送管と、
前記ボトル本体に固定可能で、前記飲用開口部を規定する蓋であって、前記飲用開口部は、前記濾過済み飲料室からの濾過済み飲料が前記濾過済み飲料室から前記移送管を通って前記飲用開口部から流れ出ることができるように前記移送管と流体連通している、前記蓋と、を有する、飲料ボトルシステム。
【請求項４９】
前記ボトル本体は、第１端に前記本体開口部を、第２端に前記支持面を備えた略円筒状である、請求項４８に記載の飲料ボトルシステム。
【請求項５０】
前記移送管は、ほぼ前記未濾過飲料室の中心を通って延在する、請求項４８に記載の飲料ボトルシステム。
【請求項５１】
飲料室と本体開口部を規定するボトル本体と、
前記飲料室を濾過済み飲料室と未濾過飲料室に分けるように前記ボトル本体の前記飲料室に配置されたフィルターホルダーと、
前記フィルターホルダー内のフィルターであって、前記フィルター及び前記フィルターホルダーの一方が、前記フィルターと前記フィルターホルダーの間の流体密封シールを形成するように前記フィルター及び前記フィルターホルダーの他方と接触する突出リップを含んでいる、前記フィルターと、
前記濾過済み飲料室との流体連通を提供するように前記濾過済み飲料室からほぼ前記本体開口部まで延在する移送管であって、前記未濾過飲料室と流体連通することなく前記未濾過飲料室を通過する前記移送管と、
前記ボトル本体に固定可能で、飲用開口部を規定する蓋であって、前記飲用開口部は、前記濾過済み飲料室からの濾過済み飲料が前記濾過済み飲料室から前記移送管を通って前記飲用開口部から流れ出ることができるように前記移送管と流体連通している、前記蓋と、を有する、飲料ボトルシステム。
【請求項５２】
前記フィルターは、
前記フィルターホルダーによって保持されるように構成され、内部空間を規定するフィルターカートリッジと、
前記フィルターカートリッジの前記内部空間に配置されたフィルター媒体とからなる、請求項５１に記載の飲料ボトルシステム。
【請求項５３】
前記フィルターは、前記フィルターホルダーと接触する円筒外壁と、それを通って前記移送管が延在する開口部を規定する円筒内壁とからなる、請求項５１に記載の飲料ボトルシステム。
【請求項５４】
内部飲料室と本体開口部を規定し、支持面を有するボトル本体と、
前記飲料室を処理済み飲料室と未処理飲料室に分けるように前記ボトル本体の前記飲料室に配置された飲料処理要素であって、前記ボトル本体が立っていて前記支持面が略水平面の上にあるときは前記未処理飲料室が前記処理済み飲料室の上に配置されており、前記未処理飲料室内の飲料が重力によって前記飲料処理要素を通って前記処理済み飲料室に流れ込むことができるように構成されている前記飲料処理要素と、
前記処理済み飲料室との流体連通を提供するように前記処理済み飲料室からほぼ前記本体開口部まで延在する移送管であって、前記未処理飲料室と流体連通することなく前記未処理飲料室の底部から前記未処理飲料室の上部まで延在する前記移送管と、
前記ボトル本体に固定可能で、飲用開口部を規定する蓋であって、前記飲用開口部は、前記処理済み飲料室からの調整済み飲料が前記処理済み飲料室から前記移送管を通って前記飲用開口部から流れ出ることができるように前記移送管と流体連通している、前記蓋と、を有する、飲料ボトルシステム。
【請求項５５】
前記飲料処理要素は、飲料フィルター、調味料、甘味料、ビタミン解放剤、色素解放剤、及び粒子解放剤の少なくとも１つである、請求項５４に記載の飲料ボトルシステム。
【請求項５６】
ボトルシステムの未濾過飲料室に未濾過飲料を収容するステップと、
濾過済み飲料を得るために、前記未濾過飲料を重力によって前記ボトルシステム内に取り付けられたフィルターを通して濾過するステップと、
前記ボトルシステムの濾過済み飲料室に前記濾過済み飲料を収容するステップであって、前記濾過済み飲料室は、前記未濾過飲料室と共通ハウジングを共有し、前記フィルターによって前記未濾過飲料室から分けられている、前記ステップと、
前記濾過済み飲料を前記濾過済み飲料室から前記ボトルシステムの分配開口部に前記未濾過飲料室を通って延在する移送管を介して分配するステップと、を有する、飲料の濾過方法。
【発明の詳細な説明】
【技術分野】
【０００１】
（関連出願の参照）
本出願は、参照することにより本明細書に援用される、２０１３年５月２０日出願の米国仮特許出願番号第６１／８２５，２０９号の利益を主張する。
【０００２】
本発明は、概して、飲料を濾過又は処理するための飲料ボトルシステムに関し、より詳細には、ボトルに取り付けられたフィルター又は処理要素を含む、飲料を濾過又は処理するための飲料ボトルシステムに関する。
【背景技術】
【０００３】
人は、運動中、通勤中、仕事中、ハイキング中、旅行中、休養中、又は他のときに水分補給をしようとすることが多い。人は、この行為を円滑にするため、ウォーターボトルを持ち歩く場合がある。
【０００４】
人は、例えば、ディスポーザブルウォーターボトルを購入する場合がある。ディスポーザブルボトルで販売される水は天然水もあるが、濾過された水道水の場合もあり、場合によっては、保存性と風味が改良されている。人は、ディスポーザブルボトルの水を飲んだ後、大抵ボトルを捨てる。そのため、彼らは、次に水を飲みたいときに、別のディスポーザブルウォーターボトルを購入することになる。ディスポーザブルボトルの水を購入することは、消費者にとって不経済となり得る。また、市販のウォーターボトリングには、一般的に、設備費用と、水のボトル詰め、小売店へのボトルの輸送、及びシングルユースが多いボトルの再利用にかかるエネルギーやその他の資源の消費が必要である。更に、再利用しないと、シングルユースボトルが埋め立てゴミの一因となる。シングルユースディスポーザブルウォーターボトルには、数多くの欠点が伴うことが明らかである。
【０００５】
シングルユースウォーターボトルの一部の欠点を克服するため、多くの人は再利用可能なウォーターボトルを利用し始めた。しかしながら、再利用可能なウォーターボトルに通常の水道水を詰めると、通常の水道水の欠点が残される。例えば、水道水の風味を好まない人もいる。また、ある種の水道水は汚染物質や不純物を含んでいる。一部の人は、再利用可能なボトルに注ぐ前の水を予め濾過することができるように、彼らの自宅や会社に複雑又はかなり大きな水濾過システムを設置する場合がある。しかしながら、ユーザーは、そのような複雑又はかなり大きなシステムを利用できない場合、予め濾過された水を入手できない。
【０００６】
濾過プロセスを容易にするために、一部の再利用可能なボトルはウォーターフィルターを含むように構成されている。よくあるタイプのウォーターフィルターは、飲用管の入口に配置された濾過要素を含んでいて、ユーザーが水を飲用管に吸い込むとき、水がフィルターを通して飲用管に吸い込まれるようになっている。そのような既知のウォーターボトルフィルターは、フィルターを通して水を吸い込むためにユーザーが十分な吸引力を発揮することが必要な場合がある。ユーザーは、この行動で疲れて、場合によっては飲む水の量が少なくなる可能性がある。また、ユーザーが水を吸い出し始めるまで水が濾過されないので、水がボトルから出る速度を濾過プロセスが遅らせる可能性があり、場合によっては水流が連続的でなくなるようになって、これがユーザーをイライラさせることになる。
【発明の概要】
【発明が解決しようとする課題】
【０００７】
ユーザーにフィルターを通して吸いながら飲むことを要求しない、飲料を処理及び摂取するための単一システム及び方法が必要である。少なくとも本発明の特定の実施形態は、この要求を満足させる。
【課題を解決するための手段】
【０００８】
本発明の特定の実施形態は、少なくとも、ボトル本体と、蓋と、飲料濾過又は処理又は調整又は改良要素と、通路要素とを有する飲料濾過又は飲料処理システムを含む。
【０００９】
ボトル本体は、飲料（その一例が水である）等の液体物質を収容するように構成される。ボトル本体は、ユーザーが容易に持ち歩いて直接便利に取り出せるように持ち運びのできるような寸法及び形状にされる。ボトル本体の特定の実施形態は、底部本体壁及び側部本体壁を含む。一般に、底部本体壁及び側部本体壁は内部空間を規定し、その内部空間は室に更に細分される。側部本体の下端は底部本体壁に接続して、下部本体交差部を形成する。側部本体の上端は終端をなして、本体開口部を規定する上部本体縁を形成する。
【００１０】
蓋は、ボトル本体と一致し、できる限り、本体開口部の全部又は一部を覆って、ボトル本体から飲料がこぼれるのを最小限に抑えるように構成される。蓋は、内部空間を利用できるように、例えば、飲料を内部空間に注ぐことができるように取り外し可能である。蓋は、開口、ノズル、管、又はストローの１つ又は複数を含み得る飲用開口部を備えており、この飲用開口部は、蓋がボトル本体に取り外し可能に取り付けられたまま、ユーザーが飲料を飲むことができるように構成されている。飲用開口部は、飲用縁によって規定される。
【００１１】
特定の実施形態において、蓋には、下蓋及び蓋カバーが含まれる。蓋カバーは、下蓋に取り付けられて、ユーザーがボトルから飲まないときに任意で飲用開口部を覆うことができる。蓋カバーは、蓋カバーを閉位置に保持するためのラッチを有してもよい。特定の実施形態において、蓋は、蓋カバーを閉位置から解除するように構成された解除ボタンを有する。
【００１２】
飲料改良要素は、飲料をボトル本体に保存しながら濾過又は処理又は調整するように構成される。飲料改良要素は、ボトル本体内に配置され、内部空間を２つ以上の飲料室、例えば、第１飲料室及び第２飲料室に分けることができる。第１飲料室は、未処理の飲料を保存するように構成してもよく、そのような実施形態では、「未処理飲料室」と呼ばれる。第２飲料室は、処理済みの飲料を保存するように構成してもよく、そのような実施形態では、「処理済み飲料室」と呼ばれる。特定の実施形態において、飲料改良要素は、ボトル本体が直立位置にあるときに未処理飲料室が処理済み飲料室の上にあるように配置される。そのような実施形態では、飲料が重力によって飲料改良要素を通して処理済み飲料室に吸い込まれる。
【００１３】
飲料改良要素の例としては、フィルター、浄化剤、香味剤、又は液体調整剤が挙げられる。フィルターは、ゴミ、有機物、塩素、鉄やその他の鉱物、並びに、バクテリア、原生動物、及びその他の微生物等のある種の汚染物質を飲料から除去するように構成される。浄化剤は、ゴミ、有機物、塩素、鉄やその他の鉱物、並びに、バクテリア、原生動物、ウィルス、及びその他の微生物等のある種の汚染物質を除去するように構成される。香味剤は、飲料に風味を加える、例えば、水にレモン味やキュウリ味を加えるように構成される。液体調整剤は、ビタミン、甘味料、着色剤、粒子、及び／又はその他の物質を飲料に添加したり、飲料から除去したりするように構成される。例えば、液体調整剤は、例えばグリッター又はその他の材料を含有することによってきらめくように、或いは、暗闇で光るように、或いは、蒸気を放出するため、ユーザーが処理済み液体を飲むときに蒸気を吐き出すように見えるように、飲料を処理することができる。飲料のその他の調整も同様に行うことができる。特定の飲料改良要素の実施形態は、水のみ、水以外の飲料のみ、摂取を目的に構成された飲料のみ、非摂取用液体のみ、又は別の液体群で使用するように構成してもよい。
【００１４】
飲料改良要素（例えば、フィルター）は、飲料改良又は処理システムの寿命を延ばすために、ユーザーによって容易に交換することができる。
【００１５】
飲料処理システムは、通路要素を更に含んでもよい。通路要素の特定の実施形態は、移送管、場合によっては、通気管を含む。
【００１６】
移送管は、処理済み飲料室から飲用開口部への処理済み飲料の移送を可能にするように構成される。より詳細には、移送管は、処理済み飲料室と蓋の飲用開口部の間の流体連通を提供するように構成された飲料流路を規定することができる。移送管は、未処理飲料の飲料流路への侵入を防止するか又は最小限に抑えるように構成される。移送管の第１端はボトル本体に配置されたフィルターホルダーに取り付けられ、移送管の第２端は、蓋がボトル本体に固定されているときに飲用開口部と流体連通して蓋のスリーブに配置される。特定の実施形態では、ボトルを飲用位置に上げ起こすことによって、処理済み飲料が処理済み飲料室からノズル、管、ストロー、又はその他の飲用開口部へ流れるようになる。特定の実施形態では、移送管は、概して内部空間の中心を通ってリング状飲料フィルターの略中央開口部まで延在する。他の実施形態では、移送管は、内部空間内の中心からずれた位置に配置してもよい。
【００１７】
通気管は、ユーザーが飲料を飲むときに空気を処理済み飲料室に流すことができるように構成された通気チャネルを規定することができる。そのような通気管は、処理済み飲料室からの圧力の放出を促進することができる。
【００１８】
本システムの特定の実施形態は、少なくとも２つの個別要素、第１ボトル本体要素及び第２ボトル本体要素から形成されたボトル本体を有する。第１ボトル本体要素は未処理飲料室又はその一部を形成するような寸法及び形状にされ、第２ボトル本体要素は処理済み飲料室又はその一部を形成するような寸法及び形状にされる。ボトル本体要素は、互いに対して取り外し可能に接続できるように構成される。他の実施形態では、本システムは、やはり室に分けられる内部空間を規定する単一ボトル本体を有する。そのような実施形態では、処理済み飲料室は、未処理飲料室と一体的に形成される。ボトル本体は、断熱されていても断熱されていなくてもよい。
【００１９】
本発明の実施形態とその特性及び利点は、添付図面と共に取り入れられた、特定の企図された実施形態の以下の詳細な説明を参照することにより更に理解及び認識されるであろう。
【図面の簡単な説明】
【００２０】
【図１】図１は、本発明に係る飲料処理システムの第１の実施形態の側面断面図であり、その断面は、図２において線Ａ−Ａで示すボトルの軸に沿っている。
【図２】図１の飲料処理システムの上面図であり、線Ａ−Ａが示されている。
【図３】図１の飲料処理システムのヒンジ付き蓋カバーを備えた蓋の上面斜視図であり、図示の蓋はボトルから取り外されている。
【図４】図１の飲料処理システムの上面斜視図であり、蓋は図示のボトルから取り外されている。
【図５】分離可能な下部室を有するボトル本体の上面斜視図であり、この下部室は、図１の飲料処理システムの上部室から分離されて示されている。
【図６】図６は、図１の飲料処理システムの下部室の上面斜視図であり、図示の下部室は、図５のボトル本体から取り外されて示されている。
【図７】図１の飲料処理システムの移送管及びフィルターホルダーの上面斜視図である。
【図８】図１の飲料処理システムのリング状フィルター、フィルターカバー、及びガスケットの分解図である。
【図９】図１の飲料処理システムの切欠斜視図であり、そこから蓋が取り外され、その中に水又は別の飲料が案内されている。
【図１０】図１の飲料処理システムの蓋の切欠斜視図である。
【図１１】図１の飲料処理システムの切欠斜視図であり、開位置にある蓋カバーと、飲んだり分配したりするために略上向きに傾けられた飲料ボトルを示している。
【図１２】本発明に係る飲料処理システムの第２の実施形態の上面背面斜視図である。
【図１３】図１２の飲料処理システムの上面図であり、線Ｂ−Ｂを示している。
【図１４】図１３の線Ｂ−Ｂに沿った図１２の飲料処理システムの断面図である。
【図１５】本発明に係る飲料処理システムの第３の実施形態の上面背面斜視図である。
【図１６】図１５の飲料処理システムの垂直軸に沿った断面図である。
【図１７】飲料処理システム用の蓋の更なる実施形態の分解斜視図である。
【図１８】図１７の蓋を含む飲料処理システムの垂直軸に沿った断面図である。
【図１９】図１８の蓋及び飲料処理システムの切欠斜視図である。
【図２０】飲料処理システムの更なる実施形態の上面、背面、側面斜視図である。
【図２１】図２０の飲料処理システムの上面図であり、切断線Ｃ−Ｃを示している。
【図２２】図２１の切断線Ｃ−Ｃに沿った図２０の飲料処理システムの断面図であり、フィルターカートリッジを含んでいる。
【図２３】飲料処理システムの更に別の実施形態の上面、背面、側面斜視図である。
【図２４】概して図２１に示す同一の切断線Ｃ−Ｃに沿った図２３の飲料処理システムの断面図であり、フィルターカートリッジを含んでいる。
【図２５】飲料処理システムのフィルターホルダー及び移送管の側面立面図である。
【図２６】図２５のフィルターホルダー及び移送管の上面分解斜視図であり、フィルターカートリッジを示している。
【図２７】図２５のフィルターホルダー及び移送管の垂直軸に沿った断面図である。
【図２８】図２７のフィルターホルダーの外部フィルターカートリッジ壁及び内面の部分拡大断面図である。
【図２９】図２７の移送管の内部フィルターカートリッジ壁及び外面の部分拡大断面図である。
【図３０】図２６のフィルターカートリッジの底面斜視図であり、開状態で示されている。
【図３１】フィルターホルダー及び移送管の更なる実施形態の側面立面図である。
【図３２】図３１のフィルターホルダー及び移送管の上面図であり、切断線Ｄ−Ｄを示している。
【図３３】図３２の切断線Ｄ−Ｄに沿った図３１のフィルターホルダー及び移送管の断面図である。
【図３４】図３１のフィルターホルダー及び移送管の底面斜視図である。
【図３５】図３１のフィルターホルダー及び移送管の上面斜視図である。
【図３６】飲料処理システム用の蓋の一実施形態の上面、側面、正面斜視図である。
【図３７】図３６の蓋の上面、側面、背面斜視図である。
【図３８】図３６の蓋の上面図であり、切断線Ｅ−Ｅを示している。
【図３９】図３８に示す切断線Ｅ−Ｅに沿った図３６の蓋の断面図であり、ラッチ位置にある蓋カバーを示している。
【図４０】図３９と同様の断面図であり、ラッチ解除位置にある蓋カバーを示している。
【図４１】図３６の蓋の上面側面斜視図であり、開位置にある蓋カバーを示している。
【図４２】図３６の蓋の中のガスケットを示す部分拡大断面図であり、このガスケットは、蓋とフィルターホルダーの移送管の間のシールを形成する。
【図４３】図３６の蓋の通気バルブを示す部分拡大断面図である。
【図４４】図３６の蓋の分解斜視図である。
【図４５】飲料処理システム用の蓋の別の実施形態の上面、背面、側面斜視図である。
【図４６】図４５の蓋の上面、正面、側面斜視図である。
【図４７】図４５の蓋の垂直断面図である。
【図４８】図４５の蓋の底面斜視図である。
【図４９】図４５の蓋のバルブの部分拡大断面図であり、閉位置で示されている。
【図５０】図４５の蓋のバルブの部分拡大断面図であり、開位置で示されている。
【図５１】図４５の蓋の上面斜視図であり、蓋カバーが開位置で示されている。
【図５２】図５１の開放蓋を通る垂直断面図である。
【図５３】図４５の蓋の分解図である。
【図５４】フィルターホルダー及び移送管の別の実施形態の側面斜視図であり、回転ロックを備えたフィルターカートリッジ及びフィルターホルダーを示している。
【図５５】ロック解除位置にある、図５４の回転ロックフィルターカートリッジ及びホルダーの正面立面図である。
【図５６】ロック位置にある、図５４の回転ロックフィルターカートリッジ及びホルダーの正面立面図である。
【図５７】回転ロックの部分拡大図である。
【図５８】フィルターカートリッジの側面立面図であり、２つの回転ロック突出部を示している。
【図５９】移送管及びフィルターホルダーの垂直断面図であり、フィルターホルダー内のロック位置に係合するフィルターカートリッジを示している。
【図６０】（ａ）及び（ｂ）は、フィルターカートリッジとフィルターホルダーの間のシールを示す部分拡大断面図である。
【図６１】紫外線殺菌装置ユニットを備えた飲料濾過又は処理システムの一実施形態の分解図である。
【図６２】図６１の飲料濾過又は処理システムで使用するための紫外線殺菌装置ユニットの上面斜視図である。
【図６３】紫外線殺菌装置ユニットを備えた飲料濾過又は処理システムの垂直断面図である。
【図６４】ロック機構を有するフィルターカートリッジの正面立面図である。
【図６５】図６４のフィルターカートリッジの側面立面図である。
【図６６】図６４のフィルターカートリッジの底面分解斜視図である。
【図６７】移送管及びフィルターホルダーの垂直断面図であり、図６４のフィルターカートリッジがロック状態でフィルターホルダー内に取り付けられて示されている。
【図６８】図６７の図に対して垂直な、移送管及びフィルターホルダーの垂直断面図であり、整合タブを示している。
【図６９】図６７のロックボタンを通る部分拡大断面図である。
【図７０】図６８の整合タブを通る部分拡大断面図である。
【図７１】紫外線殺菌装置ユニットの別の実施形態の上面斜視図である。
【図７２】ボトル本体から分離された、図７１の紫外線殺菌装置ユニットの底面分解図である。
【図７３】飲料処理システムの一実施形態の垂直断面図であり、蓋カバーが閉じているときの飲料濾過中に生じる可能性がある圧力差を釣り合わせるための空気再循環チャネルを備えている。
【図７４】図７３の空気再循環チャネルを有する蓋の上面斜視図である。
【図７５】図７４の蓋の上面斜視図であり、開位置にある蓋カバーが示されている。
【図７６】図７５の蓋の上面斜視図であり、蓋の空気再循環口から空気再循環部材が分離された、図７５の蓋の上面斜視図である。
【発明を実施するための形態】
【００２１】
図面を全体的に参照すると、例えば図１に示すように、飲料濾過又は処理システム２０（本明細書では飲料ボトルシステムとも呼ばれる）の特定の実施形態は、ボトル本体２２と、蓋２４と、飲料濾過又は処理又は調整又は改良要素２５と、通路要素２７とを含んでいる。
【００２２】
ボトル本体２２は、飲料等の液体物質を収容するように構成される。ボトル本体２２の特定の実施形態は、底部本体壁５１及び側部本体壁５３を含む。通常、底部本体壁５１及び側部本体壁５３は内部空間４１を規定する。側部本体壁５３の下端は底部本体壁５１に接続して、下部本体共通部５５を形成する。側部本体壁５３の上端は終端をなして、本体開口部５９を規定する上部本体縁５７を形成する。
【００２３】
ボトル本体２２は略円筒体であって、２つ又はそれ以上の飲料室３１を形成することができる内部空間４１を提供するように伸長している。ボトル本体２２は、剛性又は可撓性材料からなっていてもよく、不透明、半透明、又は透明であってもよい。ボトル本体２２は、単一色又は単一材からなっていても、或いは単一色又は多色の複数材から形成されてもよい。ボトル本体２２を可撓性材料で形成した場合、ユーザーが握りしめて飲料の飲用及び／又は濾過を容易にすることができる。
【００２４】
蓋２４は、ボトル本体２２に取り付け、できる限り、本体開口部５９の全部又は一部を覆ってボトル本体２２から飲料がこぼれるのを最小限に抑えるように構成される。蓋２４は、内部空間４１を利用できるように、例えば、飲料を内部空間４１に注ぐことができるように取り外し可能である。蓋２４は、蓋２４がボトル本体２２に取り外し可能に取り付けられたまま、ユーザーが飲料を飲むことができるように構成された飲用開口部２９を備えている。
【００２５】
特定の実施形態において、蓋２４には、下蓋２６及び蓋カバー２８が含まれる。蓋カバー２８は、下蓋２６に取り付けられて、ユーザーがボトルから飲まないときに任意で飲用開口部２９を覆うことができる。蓋カバー２８は、蓋カバー２８を閉位置に保持するためのラッチ３６を有してもよい。特定の実施形態において、蓋２４は、蓋カバー２８を閉位置から解除するように構成されたラッチボタン７６を有する。
【００２６】
より詳細には、特定の実施形態において、下蓋２６の飲用開口部はノズル３０を含んでおり、ユーザーはそこから、飲料ボトルシステム２０からの水或いはその他の飲料又は流体を飲むことができる。ノズル３０は、蓋カバー２８が図示の閉位置にあるときに蓋カバーのノズルストッパー３２によって閉鎖可能である。ノズルストッパー３２は、ノズル３０を押圧することによって流体密封シールを形成するゴム材料又はその他の材料で作られるのが好ましい。蓋カバー２８は、ヒンジ３４によって下蓋２６に取り付けられ、このヒンジ３４は、蓋カバー２８を開位置に回転させてノズル３０を利用できるようにすること、又は閉位置に回転させてノズル３０を覆うことができる。ラッチ３６は、ラッチ３６が係合しているときに蓋カバー２８を閉位置に固定するように設けられる。ラッチ３６は、−例えば、ラッチボタン７６を押すか、又は別の方法でラッチを操作することによって−蓋カバー２８を閉位置から解除するようにユーザーが操作可能であって、蓋カバー２８が開位置に回転することができるようになっている。下蓋２６は、ねじ接続部３８又は別の取り外し可能な接続構造によってボトル本体２２に取り外し可能に取り付けられる。蓋ガスケット４０は、下蓋２６とボトル本体２２の間に設けられ、下蓋２６とボトル本体２２の間に流体密封シールを形成するように構成される。
【００２７】
飲料濾過又は処理システム２０はまた、移送管４４、場合によっては、通気管５０を含み得る、通路要素２７を有する。移送管４４は、濾過済み又は処理済み飲料室５４と蓋の飲用開口部２９の間の流体連通を提供するように構成された飲料流路を規定することができる。特定の実施形態では、ボトルを飲用位置に上げ起こすことによって、濾過済み又は処理済み飲料が処理済み飲料室５４からノズル３０又はその他の飲用開口部へ流れるようになる。特定の実施形態では、移送管４４は、内部空間４１の中心を通って飲料フィルター又はその他の飲料改良要素５８の略中央開口部まで延在する。他の実施形態では、移送管４４は、内部空間４１内の中心からずれた位置に配置してもよい。通気管５０は、ユーザーが飲料を飲むときに空気を濾過済み又は処理済み飲料室５４に流すことができるようにするための通気チャネルを規定するように構成される。
【００２８】
本願明細書は飲料ボトルから飲料を飲むことに言及しているが、本発明の技術的範囲は、ボトルから飲料を注ぐこと、或いは飲む又はその他の用途のために別の方法で飲料を分配することにも及ぶ。
【００２９】
より詳細には、図１に示す実施形態では、移送管４４は、一方の管端部でノズル３０又はその他の飲用開口部に、直接的又は間接的に、流体連通して接続され、もう一方の管端部では、移送管４４が、フィルターホルダー４６に、直接的又は間接的に、流体連通して接続される。移送管４４は、移送管の上端を蓋の飲用開口部と流体連通して接続することができるように、ほぼボトル本体の本体開口部まで延在する。移送管上端は、飲用開口部との流体連通を確立できさえすれば、本体開口部まで延在しても、本体開口部を越えて延在しても、本体開口部に達していなくてもよい。ガスケット４８は、移送管４４のもう一方の端部とノズル３０の間に配置される。移送管４４は、その長さに沿って流体流通路を形成するように少なくとも部分的に中空であり、本実施形態では、移送管４４内に位置する通気管５０が含まれる。
【００３０】
システム２０の特定の実施形態は、少なくとも２つの個別要素、第１ボトル本体要素４７及び第２ボトル本体要素４９から形成されたボトル本体２２を有する。第１ボトル本体要素４７は未濾過又は未処理飲料室４２を形成するような寸法及び形状にされ、第２ボトル本体要素は処理済み飲料室５４を形成するような寸法及び形状にされる。ボトル本体要素４７及び４９は、互いに対して取り外し可能に接続できるように構成される。他の実施形態では、システム２０は、やはり室に分けられる内部空間を規定する単一ボトル本体を有する。そのような実施形態では、処理済み飲料室は、未処理飲料室と一体的に形成される。
【００３１】
本発明の特定の実施形態では、第２ボトル本体要素４９は、底部本体壁５１及び側部本体壁の一部から形成された基部５２として構成される。基部５２は、処理済み飲料室５４、より詳細には、処理が濾過である実施形態では、濾過済み飲料室５４を規定する略中空内部を有する。基部５２は、飲料を保持するように構成され、ねじ接続部５６又はその他の取り外し可能な接続構造によって本体２２に接続することができる。
【００３２】
第１ボトル本体要素４７は、側部本体壁５３の一部から形成された中間要素として構成される。中間要素４７は、略中空内部と略円筒形状を有する。中間要素４７は、一端付近は蓋２４に固定し、他端付近は基部５２に固定するように構成される。
【００３３】
上記のように、飲料フィルター又は改良要素５８は、処理済み飲料室５４から未処理飲料室４２を分離するように配置される。本発明の特定の実施形態では、飲料改良要素はフィルターである。そのような実施形態を本出願で説明しているが、それらの説明は限定ではない。特定のフィルターに基づいた実施形態は、単にフィルターを別の種類の飲料改良要素と交換することによって他の飲料改良要素と共に用いることができる。本発明の技術的範囲内のその他の実施形態は、具体的にはフィルターでない飲料改良要素と共に用いるように構成される。
【００３４】
本発明の特定の実施形態は、ボトル本体２２に対して飲料改良要素を位置決めするように構成された飲料改良要素リテーナ４６を含む。例えば、飲料改良要素リテーナは、ボトル本体２２内に位置し、未処理飲料室（例えば、未濾過飲料室４２）と処理済み飲料室（例えば、濾過済み飲料室５４）の間の境界を規定するフィルターホルダー４６であってよい。フィルターホルダー４６は、フィルター要素５８を収容するように構成される。
【００３５】
フィルターカバー６０等のカバーは、システムが直立位置にある場合、フィルター要素５８の上部に固定される。フィルターホルダーガスケット６２は、未濾過飲料室４２と濾過済み飲料室５４の間の流体密封シールを形成するように構成される。図示の実施形態のフィルターホルダーガスケット６２は、ボトル本体２２の下部リムに対するシールを形成するように構成される。濾過済み飲料室５４内の支持フランジ又は支持要素６４は、フィルターホルダー４６をボトル本体２２の下端の所定の位置に押圧し、フィルターホルダーガスケット６２をボトル本体２２の下部リムに対して密封するように構成される。支持フランジ又は支持要素６４は、基部５２の内部壁からの支持突出部として形成してもよく、隆起構造２６０（別の実施形態に示す）であってもよい。そのような支持フランジ６４は１つ又は複数設けてもよい。
【００３６】
フィルターカバー６０は、未濾過飲料室４２内の水又はその他の飲料がフィルター要素５８又はその他の飲料改良要素を通って流れることができるようにする開口部を含むことができる。フィルター要素５８は多孔質で、フィルター要素５８を通って流れる飲料を濾過する。フィルターホルダー４６の下端は、濾過済み飲料がフィルター要素５８からそれを通って流れることができる開口部を含む。従って、未濾過飲料室４２内の未濾過飲料は、システムが図示のように立っているか又は直立に保持されているときの重力を受けて図１において図示される矢印で示すようにフィルターを通って流れて、濾過済み飲料室５４内で濾過済み飲料となる。
【００３７】
ボトル本体２２は、テーブル面、カウンター、又はデスク等の略水平面６６上でボトル本体２２を支持して、濾過済み飲料室５４の上に未濾過飲料室４２を位置させる（本明細書では直立位置と呼ぶ）ための支持面として成形された下端及び底部本体壁５１を有する。ボトル本体２２は、システム２０を直立位置に維持するようなその他の形状をとってもよく、例えば、ホルダーに収まるように成形しても、又はユーザーによって直立位置に保持することができるように成形してもよい。システム２０は、支持体から直立位置にぶら下げても、支持体に対して直立位置に取り付けても、ホルダー内で直立位置に位置させても、又は別の方法で重力がフィルター５８を通して飲料を引き込むように濾過済み飲料室５４の上に未濾過飲料室４２がある直立位置に配置してもよい。重力は、フィルター５８を通して飲料を引き込むように単独で作用させてもよく、或いは、どちらか一方の飲料室の圧力を増減することによって、遠心力等の１つ又は複数のその他の力によって補助してもよい。例えば、ユーザーは、キャリーループを手に持ちながらシステム２０を回転させて飲料をより急速に濾過させたり、ボトル本体２２に締め付け力を与えてより急速な飲料濾過を生じさせたりすることができる。
【００３８】
図２を参照すると、蓋カバー２８は、内部にノズルストッパー３２が固定されたノズル位置合わせ開口部７０を有する。特定の実施形態のノズルストッパー３２は、マッシュルーム又は傘形状を有しており、図１及び２を比較すると分かるように、蓋カバー２８の開口部７０内に固定されたマッシュルームの「ステム（柄）」と、蓋カバーが閉位置にあるときにノズル３０の開口部と密封係合状態で圧入されたマッシュルーム形状の「かさ」部分とを備えている。図示の実施形態では、ノズルストッパー３２は、ボトル２０の中心を通って延在する移送管４４の上部を覆っている。
【００３９】
蓋カバー２８は、ヒンジ３４によって下蓋２６に接続することができる。ヒンジ３４は、下蓋２６に接続され、中央ヒンジピン開口部を有する中央ヒンジ要素７２を含む。中央ヒンジ要素７２の対向端には、サイドヒンジ要素７４が設けられ、蓋カバー２８に取り付けられている。ヒンジピン（この図には示していない）は、周知のように、中央ヒンジピン開口部を通って延在する。
【００４０】
ヒンジ３４の反対側に、ラッチ３６がある。ラッチ３６を解除することによって、ユーザーは、蓋カバー２８を開位置に旋回させることができる。図示の実施形態のラッチ３６は、ラッチボタンを押してラッチを解除状態に操作するプッシュボタンラッチである。ラッチ３６には付勢要素が含まれていて、蓋カバー２８が閉位置に押されたときにラッチを係合状態に付勢する。
【００４１】
図３は、ボトル本体２２から取り外された蓋２４を示している。ノズルストッパー３２は、蓋カバー２８の開口部７０に固定される。蓋カバー２８は、下蓋２６上の閉位置にあり、そこでラッチ２６によって保持される。ラッチ３６は、ユーザーによって押されてラッチを解除し、蓋カバー２８を開くことができるラッチボタン７６を含む。ラッチボタン７６は、カラー７８によって囲まれてラッチの不用意な解除を防止又は阻止する。
【００４２】
蓋２４の後部のヒンジ３４は、外側ヒンジ要素７４及び中央ヒンジ要素７２を通って延在するヒンジピン８０を有する。蓋カバー２８は、図示の実施形態の下蓋２６よりも全径が小さいが、全ての実施形態においてそのようにする必要はない。
【００４３】
図４を参照すると、ボトル本体２２は本体開口部５９を有しており、その一実施形態は、未濾過飲料室４２を利用できるように構成された上部開口部８２である。上部開口部８２は、上部本体縁５７によって囲まれており、その一実施形態は、蓋と本体が互いに固定されているときに蓋２４内のガスケット４０を押圧する上部リム８４である。リム８４の下に、蓋２４内のねじ山と協働してねじ接続部３８を形成するねじ付きカラー８６がある。移送管４４は、上部開口部８２の中心に配置され、蓋２４内のガスケット４８を密封する管リム８８を有する。移送管４４は、濾過済み飲料がそれを通って流れて飲まれる中央通路８９と、ユーザーがボトル２０から飲むときに空気がそれを通って濾過済み飲料室に流れる２つの通気管又は通路５０を有する。
【００４４】
ボトル本体２２は、下端に大径部９２を有する略円筒外側本体壁９０を含む。大径部９２の下に、それによって本体２２を基部５２に接続するねじ接続部５６がある。基部５２及びボトル本体２２は、飲料保持容器を形成する。
【００４５】
図５は、上部にねじ付きカラー８６備えたボトル本体２２を示している。基部５２は、大径部９２の下に延在する下部ねじ付きカラー９４を見せるために取り外されている。下部ねじ付きカラー９４は不連続ねじ山を有して示されているが、一部の実施形態では連続ねじ山を設けてもよい。本発明の技術的範囲内で、代わりにその他の接続構造を設けてもよい。
【００４６】
図６において、基部５２は、濾過済み飲料室５４を形成する中空内部を有する円筒本体９６を有する。雌ねじを有するねじ付きカラー９８は大径であり、ボトル本体２２のねじ付きカラー９４にねじ係合してねじ接続部５６を形成する。支持フランジ又は支持要素６４は、基部５２内に見える。
【００４７】
図７を参照すると、移送管４４は細長く、略円筒形状である。特定の実施形態において、移送管４４は、上端から下端に向かって直径が増加する僅かなテーパーを有する。移送管４４の第１端を囲んで、フィルターホルダー４６がある。フィルターホルダー４６は、フィルターを収容し、移送管４４を支持するように構成される。図示の実施形態では、移送管４４は、中央のフィルターホルダーに接続される。フィルターホルダー４６の外壁１００は円筒状であり、フィルターカバー６０と係合する環状リセスを備えた上部リム１０２を有する。外壁１００は、フィルターホルダー４６がボトル本体２２の下端にぴったり係合して収まるように、ボトル本体２２の下部ねじ付きカラー９４の内径にほぼ等しい外径を有する。リセス１０４は、外壁１００の下部分に設けられて、そこにガスケット６２が嵌合する。フランジ１０６は、フィルターホルダー４６の下端から半径方向外方に延在して、ガスケット６２がボトル本体２２の下部リムに対して押圧されたときにガスケット６２を支持するための台座面を形成する。
【００４８】
フィルターホルダー４６内に、移送管４４の外側と外壁１００の内部の間に延在する半径方向リブ１０８によって形成されたフロアがある。半径方向リブ１０８は、リブ間に開口部を有し、流体がフロアを通って流れることができるようにする。
【００４９】
図８は、フィルターホルダー４６に収まる交換可能なフィルター要素５８を示している。フィルター要素５８は、中央開口部１１０を備えた円筒の形状である。フィルター要素５８はフィルターホルダー４６に嵌合し、フィルター要素５８の中央開口部１１０を通って移送管４４が延在している。フィルター要素５８は、炭素又は木炭、天然又は人工物質、織り繊維又は不織繊維、顆粒状物質、発泡体、１つ又は複数の膜、或いは液体を濾過するための任意のその他の材料又は構造等の、フィルター媒体又はフィルター材料で作られる。特定の実施形態において、フィルター要素は中央開口部を有する単一部材で形成されて、フィルターホルダーに容易に挿脱できるようになっている。他の実施形態では、フィルター要素は、粒状又は顆粒状物質、層状物質、或いは、要望通りの、その他の構造からなっていてもよく、フィルターカートリッジ又はその他のハウジング内に入れられる。特定の実施形態において、フィルター要素は、生物分解可能であるか又は少なくとも環境に優しいものである。例えば、フィルター要素は、活性炭を含んでもよく、多孔紙の外装を設けてもよい。
【００５０】
図８のフィルターカバー６０は、それを通って移送管４４が延在する中央開口部１１２と、例えば所定の位置にはめ込むことによってフィルターホルダー４６のリム１０２に取り付けられる外部リム１１４と、フィルターカバー６０に広がるように配置されたフィルターカバー開口部１１６とを有する。フィルター要素５８がフィルターホルダー４６に入れられて、フィルターカバー６０がフィルターホルダーに取り付けられると、フィルターカバー６０の開口部１１６と、フィルターホルダー４６のリブ１０８間の開口部により、流体は、フィルター要素５８を通過することによって、フィルターホルダー４６の片側からフィルターホルダー４６の反対側まで流れることができるようになる。好ましくは、フィルター要素５８がフィルターハウジングに十分にぴったりと嵌合して、フィルター材料又はフィルター媒体を通過せずには流体がほとんど又は全くフィルター要素を飛び越えることができなくなる。
【００５１】
更に図８では、フィルターホルダー４６のチャネル又はリセス１０４に嵌合するガスケット６２が示されている。図示のガスケット６２は、半径方向突出部１２２を備えた円筒状ガスケット本体１２０を有し、ガスケット全体が略「Ｌ」字型断面を形成している。円筒状ガスケット本体１２０はフィルターホルダー４６のチャネル１０４に嵌合し、突出部１２２は、フィルターホルダー４６が本体の下端の所定の位置に入れられたときにボトル本体２２の下部リムに対して取り付けられるようにフランジ１０６によって支持される。それにより、ガスケット６２は、未濾過飲料室４２を濾過済み飲料室５４から密封して、濾過済み飲料室内の未濾過飲料を最小限に抑える。濾過済み飲料室５４内の支持フランジ６４は、フィルターホルダー４６及びガスケット６２を所定の位置に押圧する。
【００５２】
図９は、注入するために蓋２４が取り外された濾過又は処理システム２０を示している。ユーザーは、矢印で示すように、水又はその他の飲料を未濾過飲料室４２に添加する。飲用水を濾過したいユーザーは、未濾過飲料室に水を添加し、未濾過の水が、ボトル本体の下部分の濾過済み飲料室につながる移送管４４の内部に入ることができないようにしなければならない。移送管４４のリム８８は、ボトル本体２２のリム８４を超えて延在して、水を未濾過飲料室に案内するのを補助する。移送管４４のリムは、例えば開口部を狭くすること（バルブ、カバー、バッフル、又はその他の流入を制限するものを含む）によって、侵入可能な未濾過飲料を防止又は削減するように構成されることが予想される。移送管４４のリム８８は、後述するように、蓋２４のノズル３０と接続するようにテーパーが付けられる。
【００５３】
未濾過飲料が室４２内にあって、濾過又は処理システム２０がほぼ直立位置に位置していると、重力によって、室４２内の水又はその他の飲料がフィルターカバー６０の開口部１１６を通してフィルター要素５８に吸い込まれる。フィルター要素５８は、水又はその他の飲料から化学物質、鉱物、バクテリア、及びその他の物質を除去することができる。濾過された水又はその他の飲料はフィルター５８からリブ１０８間の空間を通って濾過済み飲料室５４へと流れ込む。室４２内の未濾過の水又はその他の飲料は、濾過済み飲料室５４が一杯になるまで、或いは未濾過の水又はその他の飲料が濾過対象の室４２内にもう残っていなくなるまで、濾過済み飲料室へと流れ続けることになる。
【００５４】
濾過済み飲料室の寸法によって、一度に濾過することができる飲料の量が制限される。図示の実施形態では、濾過済み飲料室５４は、ユーザーが濾過済み飲料を数回飲み込むことができる十分な寸法である。ユーザーが濾過済み飲料室５４から飲料を飲むと、未濾過飲料室４２内に残っている飲料が濾過され、濾過済み飲料室５４へと流れ込む。未濾過飲料室４２は、濾過済み飲料室５４よりも大きなものが意図的に選択される。これにより、飲料がフィルターを通過するのを待つことによって生じる遅れがなく、大量の飲料でボトル本体２２を迅速に満たすこと、又は少なくとも未濾過飲料室４２を迅速に満たすことが可能になる。フィルター５８の材料又は構造又は状態が、飲料がフィルターを通ってゆっくりと流れるような場合は、ユーザーは、それにかかわらずボトルに飲料を急いで追加して、ボトルに蓋をして移動しても、濾過済み飲料を必要なときに利用できることが保障されている。
【００５５】
特定の実施形態において、飲料室の相対寸法は、増減させることができ、且つ／又はフィルターの材料又は構造を変更して、濾過速度又は濾過品質を増減させることができる。例えば、飲料から汚染物質又はその他の物質を除去することにより積極的なフィルターはもっとゆっくり作用させてもよく、既に比較的きれいで純粋な飲料用のフィルターはより迅速に機能するように構成してもよい。
【００５６】
図９のボトル用の蓋２４が図１０に示されている。蓋２４は、開口部７０内に取り付けられた柔軟なノズルストッパー３２を含む蓋カバー２８を有する。ノズルストッパー３２は、開口部７０の蓋カバー２８内に延在するスリーブ１２６に嵌合するステム１２４を有する。ステム１２４及びスリーブ１２６は、ノズルストッパー３２が蓋カバー２８から不用意に外れるのを防止又は抑止するように構成された大径の段差部を含む。ノズルストッパー３２は、ステム１２４から外方に延在し、且つ蓋カバー２８の内面に向かって湾曲する湾曲ディスク部１２８を含む。ディスク部１２８は、ノズル３０のリムを押圧して、蓋カバー２８が閉じているときにノズル３０から流体が漏れるのを共に防止又は削減するように構成されている。
【００５７】
蓋カバー２８は、ヒンジ３４によって下蓋２６に取り付けられる。図２に示すように、ヒンジ３４は、部分的には下蓋２６から延在する中心部７２によって形成される。中心部７２は、上部分の周囲の湾曲外面１３０と、下部分に向かう略平坦面１３２とを有する。曲面１３０と平坦面１３２の間には、僅かな斜面１３４が設けられる。蓋カバー２８は、下端と両側が蓋２８の本体に固定されていないリテーナスプリング１３６を有する。蓋カバー２８の本体からリテーナスプリング１３６の側面を切り離す切欠きが１３７で示されている。リテーナスプリング１３６は、リテーナスプリング１３６の自由端に、蓋カバー２８の中へ内方に延在するアーム１３８を有する。リテーナスプリング１３６は、蓋カバー２８の閉位置にある中心部７２の湾曲面１３０を支え、その間に蓋カバー２８が開位置に向かってヒンジ３４の周囲を旋回する。蓋カバー２８が全開位置に達すると、リテーナスプリング１３６は平坦面１３２に達して屈曲し、蓋カバー２８を開位置に保持するようにアーム１３８を平坦面１３２に対して位置付ける。ユーザーは、蓋カバー２８に妨げられることなくノズル３０から飲むことができる。ユーザーが蓋カバー２８を閉じたい場合、蓋カバー２８を閉位置に向かって旋回させることによって、リテーナスプリング１３６とアーム１３８が斜面１３４にぶつかり、この斜面１３４が、蓋カバー２８が閉位置に向かって旋回することができるように、リテーナスプリング１３６を湾曲面１３０の上へ押し上げる。
【００５８】
蓋カバー２８は、ラッチ３６によって閉位置に保持される。ラッチ３６は、図３に関して述べたように、カラー７８内に解除ボタン７６を有する。ボタン７６は、下蓋２６のボタントンネル１４４内で滑り運動するように取り付けられる。ボタン７６は、ボタントンネル１４４内に内側部分１４６を含んでおり、この内側部分１４６は、蓋カバー２８から延在するキャッチタブ１５０内に形成されたキャッチ開口部１４８に係合するキャッチ突出部を有する。キャッチタブ１５０は、ボタン７６の内側部分１４６が蓋カバー２８のキャッチ開口部に係合可能であるようにボタントンネル１４４の開口部内に延在する。ボタン７６は、ボタントンネル１４４内に取り付けられた、ゴム圧縮ばね等のスプリング１５２によって係合位置に付勢される。
【００５９】
ラッチボタン７６を押すことによって、ラッチボタン７６がボタントンネル１４４内に摺動してスプリング１５２を圧縮する。蓋カバー２８が閉位置且つラッチ位置にあるとき、ボタン７６の滑り運動によって、キャッチ開口部１４８に収容されているラッチボタン７６のキャッチ突出部が蓋カバー２８のキャッチ開口部から外れて移動するため、蓋カバーがラッチ位置から解除され、開位置まで旋回可能になる。ノズルストッパー３２はノズル３０のリムに十分な力を及ぼして、ラッチ３６の解除によって蓋カバー２８が開位置に向かって自由に動くようにすることができる。ラッチに失敗すると蓋カバーが部分開位置に動いてしまうので、このラッチが解除されていることを明確に示すことが、ユーザーに対して蓋カバー２８がラッチ状態であるかどうかの指標ともなる。
【００６０】
内蓋２６は、ユーザーがそこから飲むことができるノズル３０を有する。ノズル３０は、内蓋２６の隆起中心部１５４上で支持される。隆起中心部１５４の下側には、管４４の第２の自由端に係合し、それをノズル３０の下側のガスケット４８と接触するように案内する内方傾斜リムを備えたカラー１５６を有している。カラー１５６は、ガスケット４８用の台座が形成されるようにノズル３０よりも大きな直径を有する。図示のガスケットはＵ字型断面を有しているが、その他の形状のガスケットも可能であり、本特許の範囲に包含される。上記したように、移送管４４のリム８８は、管４４をカラー１５６内に案内するのを補助するために外方に傾斜している。
【００６１】
内蓋２６の隆起中心部１５４は、移送管４４の第２端とボトル本体２２のリム８４の高低差に適応する。移送管４４の第２端とボトル本体２２の位置の違いによって、隆起中心部と内蓋２６の本体の高低差が多い場合も少ない場合も考えられる。図示の実施形態では、隆起内側部分１５４の高さはボタントンネル１４４の高さと等しいが、全ての実施形態においてそのようにする必要はない。
【００６２】
蓋ガスケット４０は、ボトルと共にねじ接続部３８を形成する雌ねじ部１６０に隣接する下蓋２６の下側に設けられる。蓋ガスケット４０は、隆起リング１６２によって形成されたチャネル内に位置する。蓋ガスケット４０はＣ字型断面を有しているが、その他のガスケット形状も可能である。蓋２４とボトル本体２２の間のねじ接続部の代わりに、スナップ接続、バヨネット接続、又はその他の接続を用いてもよい。
【００６３】
図１１は、飲用位置に上げ起こした濾過済み飲料ボトルを示している。蓋カバー２８は、蓋カバー２８が開いたまま保たれるようにリテーナスプリング１３６が中央ヒンジ要素７２の平坦部を支えている全開位置まで旋回させられている。これにより、ノズル３０からノズルストッパー３２が開封されて、ユーザーが濾過済み飲料をノズルから飲んだり注いだりすることができるようになる。
【００６４】
濾過又は処理システム２０の底部を上げ起こすことによって、濾過済み飲料室５４内の濾過済み飲料が移送管４４を通ってノズル３０から流れ出て、ユーザーによって利用又は摂取される。飲料をノズル３０から注ぎながら濾過済み飲料室５４を通気するために、通気管５０は、空気をノズル３０の領域から濾過済み飲料室５４へと運ぶ。図示の実施形態では、２つの通気管５０が移送管４４内に配置されている。それより多い又は少ない通気管を設けてもよい。移送管４４内に通気管５０を設けることによって、ノズルストッパー３２が管４４及び通気管５０の両方を密封する。下蓋２６は未濾過飲料室４２を閉鎖し、これらは共に、濾過済み飲料が取り出されているときに未濾過飲料が濾過又は処理システム２０から出るのを実質的に防ぐように構成される。従って、ユーザーには濾過又は処理システムから濾過済み飲料のみが与えられる。
【００６５】
特定の実施形態のフィルターは、両方向の飲料の流れを可能にするように構成される。濾過又は処理システムを飲用位置に傾けることによって、濾過済み飲料室５４内の一部の濾過済み飲料がフィルター５８を通って未濾過飲料室４２へと逆流するようになる。大部分の実施形態では、フィルターを通る流れは、移送管４４を通るスムーズな流れと比べて遅い。そのため、少量の濾過済み飲料がフィルターを通って逆流するが、濾過済み飲料室内のほとんどの飲料は利用可能である。注入又は飲用中に逆流する少量の飲料は、ボトルシステムを直立位置に戻して、飲料が再び未濾過飲料室４２から濾過済み飲料室５４へと濾過され始めるようにすることによって相殺される。ボトルシステムを上げ起こしたときにフィルター５８を通る飲料の逆流によってフィルターを洗浄することができ、濾過効率が向上する。濾過又は処理システムから飲む間、及び濾過又は処理システムを直立位置から傾けたときにフィルターを通る逆流を低減又は排除するために、方向性流量制限器を含むことも予想される。
【００６６】
濾過済み飲料室５４では、フィルターホルダー４６をボトル本体２２の下部リムに対して保持する２つの支持フランジ又は支持要素６４が明らかになる。そのような支持体をそれより多く又は少なく設けてもよい。フィルターホルダー４６がその他の手段によって所定の位置に保持されることもまた可能である。
【００６７】
ユーザーが図１〜１１の濾過済み飲料ボトルシステムを使用して大量の飲料を濾過した後は、フィルター要素５８を交換する必要がある。ユーザーが図５及び６に示すように本体２２から基部５２を回して外すことで、本体２２の開放底部からフィルターホルダー４６及び管４４を自由に取り外すことができる。フィルターカバー６０は、管４４からリング状フィルターカバー６０を持ち上げて外すことによってフィルターホルダー４６から取り外される。フィルター要素５８は、フィルターホルダー４６から取り外される。フィルターホルダーから湿ったフィルター要素５８を取り出すためには、管４４及びフィルターホルダー４６を逆さにすることが必要な場合がある。新品又は別のフィルター要素５８を移送管４４にかぶせてフィルターホルダー４６に入れてから、例えばパチンとはめることによって、フィルターカバー６０が交換される。移送管４４及びフィルターホルダー４６が本体２２内で交換され、基部５２がボトル本体２２にねじ込まれる。飲料ボトルシステム２０は、新品又は別のフィルターで使える状態になる。
【００６８】
図１２は、濾過又は処理システム２００の第２の実施形態を開示している。蓋２０２は、ヒンジ２０６によって蓋２０２に接続された蓋カバー２０４を有する。ボタン解除ラッチ２０８は、閉位置にある蓋カバー２０４を固定するために設けられている。中央開口部２１０は、ノズルストッパー２１２を有する。蓋の構造は、第１の実施形態と同一であってもよく、構造、材料、又は設計が異なっていてもよい。ボトル本体２１４は単一片であり、フィルター要素を交換するための取り外し可能な基部はない。
【００６９】
図１３は、第２の実施形態の蓋の上部を示しており、図１４の断面図のための切断線を示している。
【００７０】
図１４では、第１及び第２の実施形態間の更なる相違点を見ることができる。濾過又は処理システムのボトル本体２１４は、取り外し可能な基部のない単一片として形成されている。支持フランジ２２０は、フィルターホルダー２２２及び移送管２２４を下から支持する。支持フランジ２０２は更に、フィルターホルダー２２２の位置決めを補助し、且つフィルターホルダーがボトル本体２１４内に希望よりも更に押し下げられてしまい、濾過済み飲料要素の寸法を減少させることになる可能性を最小限に抑えるように構成することができる。フィルターホルダー２２２及び移送管２２４は、ボトル本体２１４から蓋２０２を取り外し、濾過又は処理システムの開放上部からフィルターホルダー２２２及び管２２４を取り外して挿入することによって、取り外して交換される。ボトル本体の底部リムを密封するガスケットの代わりに、第２の実施形態のフィルターホルダー２２２は、フィルターホルダー２２２のチャネル内のガスケット２２６を用いて本体２１４の内面を密封する。その他の点では、第２の実施形態は全般的に第１の実施形態のように機能する。
【００７１】
第３の実施形態を図１５に示す。濾過又は処理システム２４０は、蓋カバー２４４を備えた蓋２４２を有する。蓋２４２は、濾過又は処理システムのボトル本体２４６に固定される。蓋２４２及び蓋カバー２４４は、前述したのとほぼ同じである。ボトル本体２４６は、上部セグメント２４８と、リング２５０と、下部セグメント２５２と、基部２５４とを有する。リング２５０は、ボトル本体２４６の残りの部分よりも小さな直径を有する。上部及び下部セグメント２４８及び２５２は、リング２５０から直径が増加するようにテーパーが付いている。
【００７２】
図１６は、略円筒状である内壁２５６と、ボトル本体の外側輪郭を規定する外壁２５８とを有する真空断熱ボトルであるボトル本体２４６を示している。内壁２５６は、フィルターハウジング２６２を支持するリッジ２６０を備えている。フィルターハウジング２６２のチャネル内のガスケット２６４は内壁２５６を密封し、これらは共に、濾過済み及び未濾過飲料室間で、本明細書で説明したようなフィルター要素５８の特性を有するフィルター要素２６６以外を通る流体流を防止又は削減するように構成される。真空断熱ボトル本体２４６は、温かい飲料は温かく、冷たい飲料は冷たく保つ。内壁及び外壁のセグメントは、本実施形態の真空ボトルを形成するために組み立てられる構成要素のことを意味している。その他のセグメント及びセグメント位置ももちろん可能である。
【００７３】
もちろん、本濾過又は処理システムは、水のみの濾過に限定されるものではなく、その他の飲料又は流体も同様に濾過又は処理するために使用することもできる。濾過又は処理システムは、飲料から物質を除去する代わりに飲料に物質を添加するように構成することも想定される。例えば、フィルター室に紅茶、コーヒー、ハーブ、浸出剤、調味料、ビタミン又はミネラルサプリメント、或いはその他の材料を添加することによって、濾過又は処理システムを使用してフレーバー又は栄養補助飲料を作ることができる。
【００７４】
飲料濾過又は処理システムの更なる実施形態をここで説明する。飲料濾過又は処理システムと共に使用するための様々な構成要素を説明するが、この構成要素は同様に非濾過飲料システムと共に使用してもよい。ここで説明した実施形態の要素は他の実施形態の要素と同一又は同様のものであり、それらの要素は示すたびに詳細に説明しないこともあるが、そのような説明は図面の他の図に示す同一又は同様の要素の説明に従うものとする。
【００７５】
図１７を参照すると、濾過飲料ボトルシステム又はその他のボトルであってよい、飲料ボトルに取り付けるための蓋３００が示されている。蓋３００は、カラー３０４から突出する中央ノズル３０６を含んでいる。ノズル３０２は、蓋３００が取り付けられるボトルの内部と流体連通する中央開口部３０６を含む。カラー３０４は、ボトルに応じて、ボトルに固定するための雌ねじ又はスナップコネクタを含む。通気開口部３０８がカラー３０４に設けられる。分解図の蓋３００の下に、通気開口部３０８において蓋３００の中に固定される通気ガスケット３１０がある。移送管ガスケット３１２は、濾過飲料ボトルの蓋３００と移送管の第２端の間を密封するために設けられる。更に、蓋３００とボトルの間を密封する蓋ガスケット３１４も設けられる。ガスケット３１２及び３１４は特定の実施形態ではＵ字型断面を有しているが、その他のガスケット形状ももちろん可能であり、本発明の技術的範囲内である。図示の実施形態の通気ガスケット３１０は、通気開口部３０８内に固定する上部キャッチ部３１６と、上部キャッチ部３１６に接続するステム３１８と、空気が通気開口部３０８に入ることができるようにするが流体が出るのを防止又は削減するように構成される下部分３２０とを有する。
【００７６】
図１８では、飲料濾過又は処理システム３２２に固定された図１７の蓋３００が示されている。蓋３００及びボトル本体３０１は共に、飲料濾過又は処理システム３２２を形成する。濾過又は処理システム３２２は、本明細書で説明した濾過又は処理システムと同様であり、フィルター３２８によって分けられた未濾過飲料室３２４と濾過済み飲料室３２６を含む。フィルター３２８は、移送管３３０の下端を囲む。移送管３３０の上端は、蓋３００がボトル本体３０１に固定されているときは、蓋３００のレセプタクル３３２に入り込む。レセプタクル３３２は、シールを形成する移送管ガスケット３１２を含んでおり、これは移送管３３０の内部及びノズル３０２の内部３０６への未濾過飲料の漏れを防止又は削減するように構成されている。蓋３００はボトル３０１にねじ係合し、ガスケット３１４は、蓋とボトルの間のシールを形成してボトルシステムからの流体の漏れを防止又は削減する。
【００７７】
通気ガスケット３１０は、蓋の通気開口部３０８と協働して、飲料がフィルター３２８を通り抜けて未濾過飲料室３２４から抜け出るときに空気が未濾過飲料室に入ることができるように成形される。通気ガスケット３１０の下部分３２０は、通気開口部３０８の、対応して成形された部分を押圧する比較的薄い湾曲部材として形成される。未濾過飲料室内の気圧が低下するにつれて、比較的薄い湾曲部分は外気が入ることができるように屈曲する。下部分３２０は、液体が通気ガスケット３１０の内部に接触したときに蓋の対応部分を押圧するように成形されて、通気開口部３０８を通る漏れに対してボトルを密封するようになっている。
【００７８】
図１９は、飲用位置まで上げ起こされた濾過又は処理システム３２２を示している。濾過済み飲料室３２６内の濾過済み飲料は、矢印で示すように、移送管３３０を通ってノズル３０２へと流れて飲むことができる。未濾過飲料室３２４内の未濾過飲料は、ボトルガスケット３１４及び通気ガスケット３１０によってボトル本体３０１からの漏れを防止又は抑止され、移送管ガスケット３１２によって濾過済み飲料の流れに入ることが防止又は抑止される。
【００７９】
図２０では、蓋カバー３４４を有する蓋３４２が取り付けられた濾過又は処理システムの特定の実施形態の飲料ボトル本体３４０が示されている。蓋３４２は、ボトル本体３４０の拡大上端３４５に固定される。蓋カバー３４４及び蓋３４２はヒンジ３４６によって互いに接続されており、ユーザーが蓋カバーを開けて飲むときに蓋３４２を利用できるようになる。キャリーループ３４８は、ヒンジ３４６で蓋３４２に接続される。キャリーループ３４８は、図示の収納位置と、ループ３４８を用いて濾過又は処理システムを持ち歩くことができる位置の間で動くようにヒンジ３４６に枢着される。キャリーループの他又は代わりに、吊りストラップ又はショルダーストラップ或いはその他のハンドル又は支持体を飲料濾過又は処理システムに設けてもよい。突出部３５０は、蓋カバー３４４の開位置にある蓋カバーと係合するようにヒンジ３４６に設けられる。シール取付部３５２は、蓋カバー３４４の上部に設けられる。
【００８０】
図２１は、蓋カバー３４４及び蓋３４２の上部を示しており、シール取付部３５２及びヒンジ３４６を含んでいる。蓋カバー３４４を閉位置から解除するためのボタン３５４が、蓋３４２の、ヒンジ３４６の反対側に設けられる。
【００８１】
図２２は、ボトル本体３４０、蓋３４２、及び蓋カバー３４４の内部を示している。ボトル本体３４０は断熱されておらず、滑らかな外側面を有する。複数のフィン又はストラット３６０がボトル本体３４０の下部分に設けられてフィルターホルダー３６２を支持し、それによって濾過済み飲料室３６４が規定される。フィルターホルダー３６２は、未濾過飲料室３６８を通って蓋３４２まで延在する移送管３６６に接続される。移送管３６６は蓋３４２上のレセプタクル３７０に嵌合し、レセプタクル３７０はそこで、蓋３４２と移送管３６６の間のシールを形成するガスケット３７２に係合する。ガスケット３７２は、ユーザーがノズル３７４から飲むときに、未濾過飲料が濾過済み飲料と混合するのを防止又は削減するように構成される。
【００８２】
蓋カバー３４４は、ボタン３５４が蓋カバー３４４の下部縁のキャッチノーズ３７６に係合したことにより、ラッチ位置にある。ボタン３５４は、ボタン３５４の内側部分と蓋３４２のボタン保持リセスの内側部分の間に延在するスプリング３７８によって係合位置に保持される。図示の実施形態のスプリング３７８は、ボタン３５４がユーザーによって内方に押圧され、その後非押圧位置に戻ることができるように圧縮可能である、柔軟なゴム状物質の管である。ボタン３５４は、ボタン３５４のノッチに嵌合するロックピン３８０によって蓋３４２のボタン保持リセスから出るのを防止又は抑止される。ノッチ内のピン３８０は、押圧されたときのボタン３５４の内方移動も制限する。
【００８３】
蓋カバー３４４は、シール取付部３５２によって蓋カバー３４４の内部に固定されたノズル密封ディスク又はノズルストッパー３８２を用いてノズル３７４の開放端を密封する。ノズル密封ディスク又はノズルストッパー３８２は、図示の実施形態ではドーム状であり、ノズル３７４と蓋カバー３４４の間の液密シールを形成するように構成された柔軟性材料で形成される。
【００８４】
傘状バルブ３８４は、蓋３４２の開口部内に取り付けられる。傘状バルブ３８４は、蓋の開口部内に取り付けられた胴体と、蓋３４２の下側と接触する外縁を有するドーム状バルブ部分３８６とを有する。バルブ部分３８６は蓋を密封し、ボトルシステムからの液体漏れを防止又は削減するように構成されているが、可撓性であって、例えば、ユーザーがボトルシステムから飲むときや、飲料が未濾過飲料室３６８から濾過済み飲料室３６４へと濾過されているときに起こり得る、内気圧が外気圧よりも低い場合に空気がボトルシステムに流れ込むことができるように構成されている。空気は、傘状バルブ３８４が取り付けられている開口部の周囲の蓋に形成された隙間を通って傘状バルブ３８４でボトルシステムに流れ込むことができる。
【００８５】
ガスケット３８８は、蓋３４２がボトル本体３４０に固定されているときにボトル本体の内部を密封するように、蓋３４２の下部周辺部に取り付けられる。図示の実施形態のガスケット３８８は、ボトルシステムの幅狭本体３４０とボトルシステムの拡大上端３４５の間の移行部を押圧する。蓋３４２は、拡大上端３４５内にねじ係合する雄ねじを備えている。
【００８６】
蓋カバー３４４は、蓋カバー３４４と蓋３４２の間に延在するＯリング３９０によって全開位置に付勢される。Ｏリング３９０は、ユーザーがノズル３７４から飲む間、蓋カバー３４４を開いたまま保つようにヒンジ３４６の要素の周りに延在する。
【００８７】
図２２の実施形態は、フィルターホルダー３６２内に取り付けられ、且つ濾過媒体又は濾過要素４７８等の濾過材料又は処理材料を封入するためのフィルター空間を含む、フィルターカートリッジ４５０を含む。
【００８８】
図２３は、図２０の実施形態と同様だが、代わりに断熱ボトルシステム４００を含む、飲料濾過又は処理システム及び蓋カバーの一実施形態である。ボトルシステム４００は、ボトル本体４０４に取り付けられた基部４０２を含む。ボトル本体４０４は、拡大上端４０８につながるテーパー部４０６を含む。本実施形態のボトルシステム４００は、真空断熱ボトルである。蓋３４２及び蓋カバー３４４は前述の実施形態と同様であり、その説明を参照することによりここで援用する。
【００８９】
図２４は、絶縁ボトルシステム４００を断面で示しており、ボトルシステムの内部を外気温度から断熱するための真空空間を提供する二重壁構造が明らかになっている。特に、外壁４０４は、ユーザーが把持するための外面を形成する。外壁４０４は、飲料収容空間を規定し、且つ断熱隙間４１２によって外壁４０４から離間される内壁４１０を囲む。断熱隙間４１２は排気されて、ボトル４００内の材料に環境温度からの断熱性能をもたらすように外壁と内壁の間の空間に真空又はほぼ真空を提供することができる。内壁及び外壁４１０及び４０４は特定の実施形態ではステンレススチールで形成されているが、その他の材料も可能である。特定の実施形態では、断熱隙間４１２は、空気、ガス、又は発泡体等の断熱材で充填することもできる。
【００９０】
スチールの内壁４１０は、例えば、ボトル４００内のフィルター要素を支持するための支持フィンを形成するのが、プラスチック等の容易に成形できる材料で形成された実施形態ほど容易ではないため、内壁及びフィルター要素は本明細書で説明した他の実施形態とは若干異なって構成されることになる。内壁４１０は、フィルターホルダー４１５及びフィルターカートリッジ４５０が取り付けられる第１の内方延長部分４１４と、第１の内方延長部分４１４よりも小さな内径を有する第２の内方延長部分４１８とを含む。第２の内方延長部分４１８はフィルターホルダー４１５を支持するものであり、フィルターホルダー４１５はそれに対して位置決めされて密封される。フィルターホルダー４１５は、第１の内方延長部分４１４によって規定された空間に嵌合する外壁部分４２０を含む。嵌め合いは、ユーザーがボトル４００からフィルターホルダー４１５が挿脱するのを防止又は抑止するほどきつくなくぴったりと合うのが好ましい。外壁４１０の下部分は、外壁部分４２０上の取付リブに取り付けることによってフィルターホルダー４１５に固定されるガスケット４２２を備えている。ガスケットは、フィルターホルダー４１５と第２の内方延長部分４１８の間のシールを形成し、且つ、フィルターカートリッジ４５０内のフィルター又は処理材料４７８を通過せずに未濾過飲料室４２４内の未濾過飲料が濾過済み飲料室４２６へと漏れるのを防止又は削減するように構成される。
【００９１】
断熱ボトル４００は、断熱空間４１２を排気及び密封する過程でボトル４００に取り付けられる基部４３０を含む。図示の実施形態による断熱ボトル４００は、蓋４３４が係合するときに蓋がねじ込まれる雌ねじ４３２を備えている。拡大上端４０８は、雌ねじ４３２用に大径が与えられている。フィルターホルダー、移送管、内蓋及び外蓋カバー、キャリーループ、並びに解除ボタンを含む、濾過飲料ボトルのその他の要素は、本明細書で説明した他の実施形態の要素と同様であり、当業者であれば更なる説明がなくてもその構造及び作用を十分理解するであろう。
【００９２】
１つの相違点は、内壁４１０内の内方突出面を支えるために蓋４３４の下縁に設けられたガスケット４３６が追加されていることである。このガスケットは、蓋と未濾過飲料室４２４の間のシールを形成するように構成される。
【００９３】
図２５は、本発明の一実施形態によるフィルターホルダー４４０及び移送管４４２を示している。フィルターホルダー４４０は、濾過飲料ボトル内に収まるように構成された外壁４４４を含む。ガスケット取付リング４４６は、外壁４４４の下部分の周囲に設けられる。ガスケット取付リング４４６は、その上にガスケットが取り付けられる３つの平行配置されたリングを含む。他の実施形態では、それより多い又は少ないリングを有しても、或いはそのようなリングを全く有していなくてもよい。リング４４６又はその他のガスケット取付構造は、確実にガスケットが所定の位置にとどまり、ボトルから出ずにボトル内に残るように構成される。
【００９４】
外壁４４４は、ユーザーがフィルターホルダー４４０内に取り付けられたフィルターカートリッジ４５０を把持することができるようにするフィンガーリセス４４８を含む。フィンガーリセス４４８は、リング状フィルターカートリッジ４５０を把持して移送管４４２上で取り外すことができるように、フィルターホルダー４４０の反対側の同様のフィンガーリセスと合わせることが好ましい。図示の実施形態の移送管４４２は、幅狭自由端からフィルターホルダー４４２の大外径底部端までテーパーが付けられて、フィルターカートリッジ４５０が移送管４４２にぴったりと取り付けられ、フィルターカートリッジと移送管の間の漏れを防止又は削減するように構成されるようになっている。
【００９５】
図２６では、フィルターカートリッジ４５０が取り外されたフィルターホルダー４４０が示されている。フィルターホルダー４４０は、フィルターカートリッジ４５０がフィルターホルダー４４０に挿入されたときに置かれる底部カートリッジ壁４５２を含む。底部カートリッジ壁４５２は、濾過済み飲料がフィルターカートリッジ４５０を通過した後に通過する複数の開口部４５４を含む。開口部４５４は、移送管４４２と外壁４４４の間に延在するセグメント壁４５６によって規定される。フィルターホルダー４４０の内部は、外壁から内方に延在する段差部４５８を含んでおり、フィルターホルダー４５０を収容するための小径部分が形成される。移送管４４２の外側には、その基部に段差部４５９も設けられている。段差部４５８及び４５９は、フィルターホルダー４４０とフィルターカートリッジ４５０の間の流体密封係合を提供する。
【００９６】
図示の実施形態の移送管４４２は、ユーザーが濾過済み飲料室から飲料を飲むときに濾過済み飲料室内に空気を通気する２つの通気管４６０を含む。単一の通気管のみ又は２つ以上の通気管を備えた、或いは通気管を備えていない移送管を設けることも可能であり、全て本発明の技術的範囲内である。
【００９７】
ガスケット４６２は、ボトルの内部に対してフィルターホルダーを密封するために設けられて、未濾過飲料室と濾過済み飲料室の間の流体密封シールを形成するようになっている。ガスケット４６２は、図２５に関して述べたようにフィルターホルダー４４０に取り付けられる。
【００９８】
フィルターホルダーから取り外されたフィルターカートリッジ４５０が示されている。フィルターカートリッジ４５０は、外側円筒壁４６４と、内側円筒壁４６６によって規定される略中央開口部とを有する中空円筒ハウジングを含む。外側円筒壁４６４は、フィルターホルダー４４０内の段差部４５８を支えるようにそこから突出するリップ４６８を含む。リップ４６９は、内側円筒壁４６６から内方に突出して設けられ、移送管４４２の段差部４５９を密封する。フィルターカバー又はカートリッジカバー４７０は、フィルターカートリッジ４５０の上部に取り付けられる。フィルターカバー４７０は、より一般的には有孔壁と呼ばれる透かし格子を形成する半径方向リブと同心円リブを含んでおり、飲料はそれを通って未濾過飲料室からフィルター媒体へと流れ込むことになる。フィルターカートリッジ４５０は、飲料がフィルター媒体から濾過済み飲料室へと流れることができるように、更に下部有孔壁（図示の実施形態では、透かし格子としても形成される）を有する。フィルターカートリッジ４５０は、フィルター空間内に単一のフィルター要素又はフィルター媒体或いはその他のフィルター材料又は処理材料を封入することができる。
【００９９】
図２７を参照すると、フィルターカートリッジ４５０は、カートリッジがフィルターホルダー４４０及び移送管４４２と共にシールを形成するように移送管４４２を囲んで取り付けられている。フィルターカートリッジ４５０は外方突出リム４７４を含んでおり、これをユーザーがリセス４４８に係合させて、フィルターカートリッジ４５０をフィルターホルダー４４０内の取付及び密封位置から取り外すことができる。飲料がフィルターカートリッジ４５０に入れるようにするための開口部を備えているのはフィルターカバー４７０だけではなく、フィルターカートリッジ４５０の底部４７６もまた飲料を流すことができる開口部を備えている。フィルターカートリッジは、濾過材料４７８を保持するための中空内部を含む。
【０１００】
濾過材料４７８は、カートリッジのフィルター空間又は媒体空間に嵌合するような固形物であるか又はそのように一体成形してもよく、或いは、顆粒状濾過材料等のばら材料であってもよい。顆粒状又はばら材料は、一体カバーの中に封入することができる。あらゆる濾過材料、又は濾過材料の組み合わせをフィルターカートリッジ内に供給してもよく、例えば、炭素濾過材料、繊維濾過材料、膜濾過材料、織り又は不織ウェブ濾過材料、或いはその他の濾過材料が含まれる。フィルター材料は、飲料中の選択された汚染物質に対して吸収性があってもよく、飲料中の汚染物質又はその他の物質と反応してもよく、中和剤又は触媒を含んでもよく、飲料中に放出される物質を含んでもよく、或いはこれらの組み合わせであってもよい。フィルター材料は生物分解可能であってもよく、且つ／又はフィルターハウジングも生物分解可能であってもよい。特定の実施形態では、フィルターハウジングは、澱粉系材料又はオレフィンで形成される。
【０１０１】
フィルターカートリッジは、フィルターホルダー内の濾過材料又はフィルター要素を交換することによって新しくしてもよく、或いは、使用済みのフィルターホルダーを新しい濾過材料が入っている新しいフィルターホルダーと交換することによって新しくしてもよい。フィルターカートリッジは、確実に未濾過飲料が未濾過飲料室から濾過済み飲料室へと通ることができず、ユーザーがボトルから飲むときにユーザーの口に到達するのを防ぐように構成される。未濾過飲料がユーザーに到達するのを避ける方法は、例えば、汚染水の供給に役立つ。一方、フィルターが単に既にきれいな供給水の味覚を改善するために設けられている場合、若干の未濾過水が濾過水と共にユーザーに到達する可能性があるが、ユーザーが感じる味覚に悪影響を与えることはない。そのため、本発明の技術的範囲は未濾過飲料の濾過済み飲料への若干の漏れを許容するフィルター及び濾過要素も包含する。
【０１０２】
図示の実施形態のフィルターホルダー４４０は、フィルター要素からの粗粒材料を遮断すると共に粗粒材料が移送管に入るのを遮断するための格子又はその他の手段（図示せず）が取り付けられる下面を含む。格子は、フィルターホルダーにパチンとはめるか、フィルターホルダーにねじ付けるか、又は別の方法でそれに取り付けてもよい。格子は、開口部全体にわたって移送管まで延在するだけでもよく、フィルターホルダーの下面及び開口部全体にわたって移送管まで延在し、それによって粒子がフィルター要素に接触するのと移送管に入るのとを防いでもよい。例えば、ユーザーがレモンスライス又はレモンウェッジを濾過済み飲料室に入れたい場合があったり、カットフルーツや他の材料を添加して飲料に風味を加えたい場合があったりする。フィルターホルダーの下面の格子は、フルーツの種、果肉、皮、又はその他の部分が移送管に入ったり、フィルターにはまり込んだりするのを防ぐ。従って、ユーザーは、フルーツの種や一部が移送管にはまり込むリスクを伴わずにフルーツ味の飲料を楽しむことができる。
【０１０３】
図２８では、フィルターカートリッジ４５０とフィルターホルダー４４０の間のシールの詳細が示されている。フィルターホルダー４４０は内壁に段差部４５８を含んでおり、この段差部でフィルターホルダーの内径が減少する。フィルターカートリッジ４５０は、そこから外方に延在する突出リップ４６８を備えている。段差部４５８とリップ４６８は互いに押圧して、濾過済み飲料室へと漏れる未濾過飲料を防止又は削減するように構成された流体密封シールを形成する。段差部４５８は、段差部４５８の上部に幅狭突出部４８０を備えている。突出部４８０は、更なるシールを形成し、リップ４６８と協働してフィルターカートリッジ４５０を所定の位置に固定する。
【０１０４】
図２９は、移送管４４２の段差部４５９とフィルターカートリッジ４５０の内方突出リップ４６９を示している。段差部４５９とリップ４６９は、濾過済み飲料室へと漏れる未濾過飲料を防止及び削減するための流体密封シールを形成する。リップ４６８及びリップ４６９は、ほとんど同じ意味で第１及び第２のリップと呼ぶ場合がある。
【０１０５】
フィルターカートリッジ４５０を更に詳細に図３０に示す。この図では、フィルターカートリッジ４５０が開いて、フィルター媒体、フィルター材料、又はフィルター要素或いは処理材料を入れるための内部フィルター空間４８１（媒体空間又はフィルター空間とも呼ばれる）が見えている。フィルターカートリッジ４５０は、外壁４６４のリップ４６８と、内壁４６６のリップ４６９を有する。上部フィルターカバー４７０の透かし格子又は第１の有孔壁は、内壁間に延在して見える。上部フィルターカバー４７０は、フィルターカートリッジに永久的に取り付けてもよく、ユーザーによってそこから取り外し可能であってもよい。外方突出リム４７４は、外壁４６４から延在する。フィルターカートリッジ４５０は、下部フィルターカバー４８２を取り外すことによって開けられている。内壁４６６の外側は、その自由端が外方に延在する複数の突出タブ又は突出部４８４を有する。外壁４６４の内側は、その縁部が内方に延在する複数のタブ又は突出部４８６を有する。タブ４８４及び４８６は、下部フィルターカバー４８２の内縁及び外縁の溝４８８及び４９０内に延在して、下部フィルターカバーをカートリッジホルダー４５０の所定の位置に固定する。
【０１０６】
底部又は下部フィルターカバー４８２は、飲料流開口部の透かし格子、より一般的には上部フィルターカバー４７０のものと同様の第２の有孔壁を形成する半径方向及び同心リブの構成を含んでいるが、開口部の構成の上部及び下部フィルターカバー間の相違も本発明の技術的範囲内である。カートリッジの上部及び底部壁の透かし格子は開口部の一般的な構成として設けられているが、あらゆる有孔壁構造を本発明の技術的範囲内で設けることができる。
【０１０７】
フィルターホルダー５００の別の実施形態を図３１に示す。フィルターホルダー５００は、フィルターホルダーから延在する移送管５０２と、フィルターホルダー５００の外壁５０６に形成されたフィンガーリセス５０４とを含む。外壁５０６の下縁には、ガスケット取付リング及びリセス５０８を含む。移送管５０２の上端は、５１０で傾斜している。フィルターホルダー５００の下端は、突出仕切板５１２を含む。仕切板５１２は、内壁及び外壁間の位置でフィルターホルダーの他の要素の下端の下に突出する。これにより、フィルターを通る飲料の流れ及び滴下を内壁又は外壁ではなくフィルター要素の中心に案内する。仕切板の湾曲下縁部は、滴下帯及び滴下線を形成する。
【０１０８】
フィンガーグリップリセス５０４を有する外壁５０６を含む、フィルターホルダー５００及び移送管５０２を図３２に示す。フィルターホルダーは、中央に位置する移送管５０２と外壁５０６の間に延在する仕切板又はリブ５１２によって形成された開口部５１６を備えた底部壁５１４を有する。本実施形態の移送管５０２は、上記した実施形態で設けられた通気チャネルが欠けている。一部の実施形態では、濾過済み飲料室に空気を通気するための通気管は不要である。
【０１０９】
フィルターホルダー５００は図３３にも示されており、フィルターホルダーの内部は、外壁５０６から内方に延在する段差部５１８と、移送管５０２から外方に延在する段差部５２０とを有する。チャネル５０８は、ガスケットをフィルターホルダー５００の下部分に保持するためのリブを有する。チャネル５０８はフィルターホルダー５００の外壁から内方に延在し、チャネル５０８の内側部分はフィルターホルダーのフロア５１４の一部を形成する。
【０１１０】
図３４は、フィルターを通って流れる飲料の滴下帯における滴下制御を行う湾曲リブ又は仕切板５１２を示している。その他の形状の滴下制御用のリブ又は仕切板も本発明の技術的範囲内である。
【０１１１】
図３５では、フィルターホルダー５００とフィルターカートリッジ４５０の間のシールを形成するのを補助する段差部５１８及び５２０が、フィルターカートリッジ４５０がない状態で示されている。
【０１１２】
蓋５３０の更なる実施形態を図３６に示す。蓋５３０は、雌ねじボトルに嵌合するねじ付き基部５３２を含む。もちろん、本実施形態及び本明細書に開示したその他の実施形態において雄ねじボトル用の蓋を構成することも可能である。蓋５３０は、ユーザーによって選択的に開閉可能な蓋カバー５３４を含む。蓋カバー５３４は、蓋カバー５３４が開くように操作するための前面の解除ボタン５３６と、背面のヒンジ５３８とを有する。ヒンジ５３８は、運搬位置又は図示の収納位置まで旋回可能なキャリーループ５４０に接続される。ねじ付き基部５３２の下縁には、ボトルの蓋を密封するためのガスケット５４２が設けられている。ノズルストッパー５４４は、蓋カバー５３４の内部に取り付けられ、蓋カバーの上部で見られる。
【０１１３】
図３７の蓋５３０を見ると、キャリーループ５４０は略Ｕ字型であり、その対向端がヒンジ５３８のヒンジピンに接続されており、ユーザーがキャリーループ５４０を上方延在位置まで旋回させて、例えば、ボトルを持ち歩いたり、フック又はペグにボトルを掛けたりすることができるようになっている。図示の実施形態のキャリーループ５４０は、ヒンジ５３８に接続された端部分５４０ｂよりもループ端５４０ａの幅が広い。その他の形状ももちろん可能である。ヒンジ５３８のバレル又は中心部分５４６は、蓋カバー５３４の一部に接触するように配置された隆起リブ５４８を有しており、例えばユーザーがボトルから飲むときなど、蓋カバーが全開位置にあるときに蓋カバーを全開位置に保持するようになっている。隆起リブ５４８により、ユーザーの僅かな力だけを用いて蓋カバーを全開位置まで動かしたり、全開位置から動かしたりすることが可能になる。
【０１１４】
ヒンジ５３８は、蓋カバーを開位置又は閉位置のどちらかに付勢するＯリングスプリング５５０を更に含む。Ｏリングスプリング５５０は、Ｏリングスプリングの第１部分を蓋５３０に保持するためのヒンジ５３８のバレル５４６から延在するスプリングフック５５２によって保持される。Ｏリングスプリング５５０の第２部分は、ヒンジ５３８の周囲に延在し、蓋カバー５３４に係合する。Ｏリングスプリング５５０の第２部分は、蓋カバーのＯリングキャッチ５５６によって蓋カバー内に保持される。Ｏリングスプリング５５０は、蓋カバー５３４が閉位置にあるとき、ヒンジ５３８を回った後に近くで折り畳まれる。ヒンジ５３８は、蓋カバー５３４とヒンジ５３８の間に接続されたヒンジコネクタ５５４を含む。
【０１１５】
図３８を参照すると、ボタン５３６は、ユーザーによって押される湾曲外端５５８を含んでいる。ヒンジ５４０は、キャリーループ５４０の幅広ループ部分５４０ａの内側にキャリーループの端部５４０ｂを有する。
【０１１６】
図３９の断面図は、ヒンジ５３８によって接続された蓋５３０及び蓋カバー５３４を示している。蓋５３０は、ねじ部分５３２の下縁にガスケット５４２を有する。蓋５３０の内部には、スリーブ５６０を収容する移送管がある。スリーブ５６０は、蓋５３０がフィルターアセンブリを有するボトルに取り付けられているときに移送管の端部に取り付けられる。スリーブ５６０の下端５６２は、移送管を所定の位置に案内するための内方傾斜斜面を含む。ガスケット５６４は、スリーブ５６０内に取り付けられて、蓋５３０と移送管の間のシールを形成する。蓋５３０は、スリーブ５６０と流体連通するノズル５６６を含む。スリーブ５６０はボトルの長手方向軸を中心として、蓋５３０がボトルの所定の位置にねじ込まれるにつれて移送管がスリーブ５６０に滑り込むようになっている。
【０１１７】
蓋５３０は、スリーブ５６０と流体連通するノズル５６６を含む。図示の実施形態のノズル５６６は、蓋５３０の中心からオフセットされている。オフセットによって、ノズル５６６内に輪郭内面５６８が生じることになる。ノズル５６６の上端は、飲用中のユーザーの快適さのために構成されたその上端に拡大リム５７０を含んでいる。ノズル５６６の上端又はリム５７０は、蓋カバー５３４の開口部５７６内に固定された中心ポスト５７２を有するノズルストッパー５４４によって密封される。ノズルストッパー５４４は、中心ポスト５７２に取り付けられたドーム状端部５７４を含んでおり、蓋カバー５３４の内部と係合するように湾曲している。ドーム状端部５７４は、ノズル５６６のリム５７０を密封し、蓋カバー５３４が閉じているときのノズルからの流体漏れを防止又は削減するように構成される。蓋カバーの開口部５７６は中心ポスト５７２に沿って延在する内側延長部５７８を有し、ドーム状端部５７４は蓋カバー５３４の内部に向かって延在するスカート部分５８０を有する。スカート５８０が設けられる蓋カバーの内部に、リセスが形成される。ドーム状端部５７４の反対側の中心ポスト５７２の端部には、開口部５７６の対応する拡大部に嵌合し、それによって蓋カバー５３４内のノズルストッパー５４４を固定する半径方向拡大部５８２がある。
【０１１８】
ボトルの軸からオフセットされたノズルを有する実施形態では、オフセット移送管及びオフセットノズルを設けることが可能である。オフセットノズル及び移送管は、ボトルに対してそのオフセット位置で維持され、ノズル及び移送管を着脱するときにそれらを回転させずにオフセットノズルをボトルに固定する回転カラーによって所定の位置に固定される。非回転蓋及び蓋カバー要素の回転カラーは当該技術において周知であり、ここで更に開示しない。
【０１１９】
ラッチボタン５３６は、蓋５３０のボタンチャネル内に摺動する。ボタンチャネルの内端には、ボタンをラッチ位置に向けて付勢する弾性スプリング５８４が含まれる。特定の実施形態の弾性スプリング５８４は、ゴム管である。ボタン５３６は、使用中にボタン５３６がボタンチャネルから抜け出るのを防止及び抑止すると共に、ボタン５３６の移動を制限する保持ピン５８６を有する。ボタン５３６のキャッチノーズ５８８は、蓋カバー５３４の内部のキャッチ突出部に係合して、蓋カバーを閉位置に固定し、ボタン５３６を押すことによってユーザーが蓋カバーを解除することができるようにする。
【０１２０】
傘状シール５９０は、スリーブ５６０とヒンジ５３８の間の蓋の中に固定される。傘状シール５９０は、蓋５３０の開口部内に固定されるキャッチ突出部５９１を備えた中心ポストを有する。開口部は、キャッチ突出部５９１に係合する内方突出部分５９２を含んで、傘状シールを所定の位置に固定する一方で、空気が開口部を通って中心ポストを越えて流れるような空気流路を形成するようになっている。傘状バルブ５９０は、蓋５３０の内部と接触する外周を有する弾性ドーム部分５９４を含む。傘状バルブ５９０は一方向フローバルブとして機能し、弾性ドーム部分が蓋５３０から離れて曲がって、例えば、ユーザーがボトルから飲むにつれて、ボトル内の圧力が低下したとき、ボトルの内部に空気が流れ込むことができるようにするが、蓋５３０の内部を押圧して密封し、流体がボトルから漏れるのを防止又は削減する。
【０１２１】
Ｏリングスプリング５５０は、蓋カバー５３４内に固定された第１部分と、蓋５３０に固定された第２部分とを含む。ヒンジ５３８の中心のヒンジピン５９６は、蓋カバー５３４及びキャリーループ５４０のための旋回軸を形成する。
【０１２２】
図４０は図３９の図を示しているが、例外として、ボタン５３６が力Ｆによって押され、スプリング５８４の付勢力に打ち勝つことによってボタン５３６がボタンチャネルに滑り込んでいる。ボタン５３６は、継続して力Ｆを与えないと図示の位置にとどまらない。ボタン５３６を図示の解除位置に動かすことによって、キャッチノーズ５８８が蓋カバー５３４の内部の突出部５９８との係合から移動して蓋カバーが解除される。ノズルストッパー５４４がノズル５６６を支えることによって、蓋カバーが図示の部分開位置まで開くことになる。ボタン５３６の内方移動は、ボタンに形成された保持ピンリセス６００内の保持ピン５８６によって制限される。図４０のボタンは、その内方移動限界にある。突出部５９８及びキャッチノーズ５８８の傾斜面によって、蓋カバー５３４の閉鎖中に蓋カバー５３４がボタンを内方に滑らせ、蓋カバーが全閉位置になるとすぐに、スプリング５８４がボタン５３６を係合位置にパチンとはまらせるようにすることができる。
【０１２３】
図４１では、全開位置にある蓋カバー５３４が示されている。蓋カバー５３４はノズルストッパー５７４を有しており、これは、蓋カバーが閉じているときはノズル５６６の開放端に取り付けられるが、蓋カバーが開いているときはユーザーがノズル５６６から飲むことができるように蓋カバー５３４の状態を維持する。ボタン５３６のキャッチノーズ５８８に係合する蓋カバー５３４の突出部５９８は、蓋カバーのリセス６０２に配置される。リセス６０２は、蓋カバー５３４が閉じているときはボタン５３６の上に合わさる。ボタン保持ピン５８６は、保持ピン穴６０４で蓋５３０内に保持される。
【０１２４】
ノズル５６６内には、ノズル内部からスリーブ５６０のスリーブ開口部６０６への液体流路を成形する輪郭５６８が見える。蓋５３０の開口部内の傘状シール５９０は、内方延在突出部５９２によって保持される。
【０１２５】
ヒンジ５３８において、Ｏリングスプリングがヒンジバレル５４６の対向端部のスプリングフック５５２内に保持される。ヒンジバレル５４６の各端と対応する蓋カバーのヒンジコネクタ５５４の間には、Ｏリングチャネル６０８が設けられる。Ｏリング５５０は、蓋カバーが閉じているときはＯリングチャネル６０８内に配置されるが、蓋カバー５３４が開いているときはＯリングチャネル６０８から出される。蓋５３４のＯリングキャッチ５５６は、Ｏリングスプリング５５０の、蓋５３０のスプリングフック５５２内に保持されているのと反対側を保持する。
【０１２６】
図４２は、移送管の端部を収容するためのスリーブ５６０内のガスケット５６４を示している。ガスケットは、スリーブ５６０の端部に形成されたガスケット台座６１０に取り付けられる。上記したように、ノズル５６６はスリーブ５６０に対してオフセットされる。ガスケット台座６１０は、図４２の片側でスリーブ５６０とノズル５６６の間の流路に延在するのに対して、ノズルとスリーブの間のオフセットが反対側のガスケット台座を形成する。スリーブ５６０とノズル５６６の間の湾曲面を表す輪郭線５６８は図４２ではっきり見える。
【０１２７】
図４３では、ボトルに空気を通気する傘状バルブ５９０がより詳細に見える。傘状バルブのステム６１２及びキャッチ突出部５９１は、傘状バルブ５９０が取り付けられる開口部６１４よりも小さい。突出部５９２のみが開口部内に延在して、傘状バルブの段差部６１２及びキャッチ突出部５９１に係合する。それにより、気流隙間がステム６１２の周りに形成される。突出部５９２がそこから延在する開口部６１４の周囲にカラー６１６が設けられる。カラー６１６の外側の蓋５３０に、環状リセス６１８が形成される。傘状バルブ５９０のシール部分５９４は、環状リセス６１８を超えて蓋５３０に取り付けられる。
【０１２８】
蓋の要素が図４４に示されており、オフセットノズル５６６、傘状バルブ開口部６１４、及びヒンジ５３８を備えた蓋本体５３０が含まれている。蓋５３０の上部内側部分は、ねじ部分５３２の上にあるカラー６２２がその下に延在する隆起部分６２０を含む。ボタントンネル６２４は、隆起部分６２０内に延在する。蓋カバー５３４は、閉じているときは隆起部分６２０の上にあって、蓋がボトルにねじ込まれて蓋カバー５３４が閉じているときはカラー６２２のみが見えるようになっている。
【０１２９】
蓋カバー５３４は、ボタン５３６用のリセス６０２と、ノズルストッパー５４４用の開口部５７６と、後部から延在する蓋カバーのヒンジコネクタ５５４とを有する。蓋カバーのヒンジコネクタ５５４は、キャリーループ５４０の旋回コネクタ６２８がその中に延在する比較的大きな旋回開口部６２６を有する。蓋本体５３０のヒンジ５３８は、キャリーループ５４０の旋回コネクタ６２８がそこに嵌合する比較的大きな旋回開口部６３０を更に含む。特定の実施形態の旋回コネクタ６２８は、長手方向に延在するスロットを有し、２つの周辺係合リングを含んでおり、コネクタが旋回開口部６２６及び６３０に嵌合するように圧縮及び変形することができ、蓋及び蓋カバーの対応するチャネルに係合するリングによってそこに保持されるようになっている。ヒンジピン５９６は、旋回コネクタ６２８の中央開口部内に延在し、それによって旋回コネクタが圧縮されることとそれによりヒンジ５３８から解除されることを防止又は抑止する。ピン５９６は、ヒンジ５３８において蓋、蓋カバー、及びキャリーループの強固な係合を提供する。
【０１３０】
Ｏリングスプリング５５０は、第１部分が蓋５３０内のＯリングフックによって保持され、第２部分が蓋カバー５３４内のＯリングキャッチ内で保持されることによって、ヒンジのＯリングチャネル内に隠れて見えるような変形状態で示されている。弛緩状態では、Ｏリングは略円形である。本発明の蓋に取り付けられると、Ｏリングは蓋５３０と蓋カバー５３４の間で張力を発揮する。
【０１３１】
雌ねじボトルと蓋５３０の間を密封するガスケット５４２は、蓋５３０のリブに取り付けられて蓋を所定の位置に保持する内部チャネル６３２を含む。スリーブ５６０の内部に取り付けられるガスケット５６４は、対照的に、外部チャネルを含む。傘状バルブ５９０は、蓋５３０の下に示されている。
【０１３２】
ボタン５３６は、ボタンチャネル６２４内に延在するボタン本体６３４を含む。ボタン本体６３４は、圧縮スプリング５８４がその中に取り付けられるスプリング収容隙間を規定する脚部６３６を有する。蓋５３０のピン開口部６０４に嵌合すると共に、ノッチ６００に係合することによってボタン５３６を所定の位置に保持するボタン保持ピン５８６が示されている。上記したように、ノズルストッパー５４４は、中央ステム５７２と、環状スカート５８０と、外側部分５７４とを含む。
【０１３３】
蓋の更なる実施形態を図４５に開示する。繰り返しを避けるため、上記の実施形態と異なる蓋の部分のみについて詳細に述べることとする。２つの実施形態の間で共通、又はほぼ共通の機構に関しては、上記の説明を参照する。蓋６４０は、ヒンジ６４６に隣接して形成されたリセス６４４を備えた蓋カバー６４２を有する。リセス６４４は、内部に通気シール６４８が取り付けられている。Ｏリングクリップ６５０は、Ｏリング６５２の片側に係合する。Ｏリングは、蓋６４２が閉位置にあるときはヒンジ６４６の周囲に配置される。Ｏリング６５２の反対側は、蓋６４０のＯリングフック６５４内に固定される。ノズルストッパー６６０と同じように、キャリーループ６５６及びボタン６５８が設けられる。
【０１３４】
図４６では、Ｏリングを収容するために形成されたチャネル内のヒンジ６４６の周囲に配置されたＯリングスプリング６５２が見られる。
【０１３５】
図４７の断面図は、上記の実施形態との多くの類似点と少しの相違点を示している。蓋カバー６４２のリセス６４４は、通気シール６４８が取り付けられるリセスフロア６６２を含む。通気シール６４８は、蓋６４０の通気開口部６６４を押圧する。通気開口部６６４は、バルブリーフ対を含むリーフバルブとして構成される通気バルブ６６８に通じている。
【０１３６】
蓋６４０は、飲料フィルターの移送管の上部部分が嵌合するスリーブ６７０を含む。スリーブ６７０は、スリーブ内に取り付けられて移送管と蓋の互いの間のシールを形成するガスケット６７２を含む。ガスケット６７２は、その自由端が傾斜しており、移送管の端部を覆ってシール品質を向上させるガスケットスリーブ６７４を含んでいる。
【０１３７】
蓋６４０のねじ部分６７６は、ボトルの内部に対してぴったりとはまるように構成されたボトルガスケット６７８を含む。
【０１３８】
ボタン６５８は、上記の実施形態のボタンよりも背が高い。ボタン６５８が嵌合するボタントンネルは、蓋カバー６４２を超えて延在し、その中に蓋カバー６４２のキャッチ延長部６８２が延在する開口部６８０を含む。キャッチ延長部は、ボタン６５８のキャッチノーズによって係合される。特定のその他の図示の実施形態のように、ボタン６５８は、圧縮スプリングによって付勢され、ボタン保持ピンによって所定の位置に保持される。
【０１３９】
図４８の下面図では、スリーブ６７０は蓋６４０の中央に配置されている。ガスケットスリーブ６７４は、スリーブ６７０内に配置される。通気バルブ又はリーフバルブ６６８は、バルブ保持リング６８８によって蓋６４０内に保持される。ボトル内からの流体の漏れを防止又は削減する閉位置にあるリーフバルブ６６８が示されている。蓋６４０内にボタントンネル６８４が形成される。
【０１４０】
図４９は、リーフバルブ６６８の一実施形態の詳細を示している。蓋６４０に、蓋が取り付けられるボトルの内部に向けられたリセス６８６が形成される。リセス６８６は、リーフバルブ６６８を所定の位置に保持する環状保持リング６８８が内部にはめ込まれている。リセス６８６は環状突出部６９０を含み、リーフバルブ６６８は、環状突出部６９０に合う対応するチャネルを有する。保持リング６８８は、通常、環状突出部６９０と同じ直径を有し、リーフバルブ６６８のチャネル６９２に嵌合する。チャネルは、略三角形断面を有すると共に、環状突出部６９０及び保持リング６８８と協動してリーフバルブ６６８を所定の位置に保持する保持リング６９４を形成する。保持リングは、リセス６８６内の内方傾斜延在突出部６９８に係合する外方傾斜延在突出部６９６を含み、保持リング６８８によってリーフバルブ６６８を所定の位置に保持するスナップファスナーがそれによって形成される。
【０１４１】
リーフバルブ６６８は、第１及び第２の内方傾斜リーフ要素７００を含んでおり、それらは、ゴム又はその他の柔軟性ポリマー等の薄い可撓性材料で形成され、弛緩状態にあるときにリーフ要素７００の自由端同士がシール面７０２において互いに接触するように配置されている。リーフ要素７００は、通常、ボトル内の流体に露出しているときはシール面７０２の密封接触を保持し、それによってボトルからの漏れを防止又は削減する。
【０１４２】
リーフバルブ６６８は通気開口部６６４に設けられ、空気がリーフ要素７００間を通過することによって通気開口部６６４を通り、更にリーフバルブ６６８を通って流れることができるようになっている。図４９は、閉位置にある蓋カバー６４２を示している。閉じた蓋カバーによって、通気開口部６６４を通過する空気又は液体から通気開口部を密封するように通気シール６４８が通気開口部に押圧されることになる。蓋カバー６４２が開位置に動かされると、通気シール６４８は空気が開口部を通過することができるように通気開口部６６４から解放される。
【０１４３】
図５０は、通気開口部６６４が開放状態であるリーフバルブ６６８を示している。蓋が取り付けられているボトル内の気圧は、例えばユーザーがボトルから飲むことによって、外気圧よりも低くなる。気圧差によってリーフ要素７００が外方に屈曲して、リーフ要素７００の密封面７０２に空気流路７０４を形成する。ボトル内の気圧が外気圧と等しくなった後、リーフ要素７００は互いに接触する弛緩状態に戻り、それによって内部に収容された液体の漏れに対して蓋を密封する。それにより、リーフ要素７００は、空気は流入させるが液体の漏れは防止又は削減する一方向バルブを形成する。
【０１４４】
図５１は、開放状態にある図４５の蓋を示している。蓋６４０は、蓋カバー６４２に収まる隆起部分７０６と、ねじ部分６７６が取り付けられる外方延在リップ７０８とを有する。ノズル７１０は隆起部分７０６から延在しており、蓋カバー６４２が閉じているときはノズルストッパー６６０によって密封されている。ボタントンネル７１２はノズル７１０から延在し、隆起部分７０６の上に現れている。ボタン６５８は、蓋カバー係合位置と蓋カバー解除位置の間のボタントンネル７１２内に摺動する。ボタントンネル７１２の上部、正面には、蓋カバー６４２が閉じているときに蓋カバーのキャッチ延長部６８２がそこに延在する開口部６８０を備えている。ボタン６５８がボタントンネル７１２から抜け出るのを防止又は抑止するボタン保持ピンは、ピン開口部７１４を通して所定の位置に挿入される。
【０１４５】
通気シール６４８は、蓋カバー６４２のリセス６４４で見られる。リセス６４４の主な機能は、蓋カバー６４２が閉じているときに通気シール６４８が通気開口部６６４上の所定の位置に動くように補助することである。Ｏリングスプリング６５２は、蓋６４２のリセス６４４とヒンジ６４６に隣接した蓋６４０の両方の所定の位置に掛けられているのが見える。ヒンジ６４６は、蓋カバー６４２が閉じているときにＯリングスプリング６５２が嵌合するＯリングチャネル７１６を有する。
【０１４６】
図５２を参照すると、蓋カバー６４２は、キャッチ延長部６８２がボタン６５８から解除された開位置にある。Ｏリングスプリング６５２は張力を受けて蓋カバー６４２を全開位置の方へ引っ張るため、ユーザーがノズル７１０から飲むときに蓋カバーが邪魔にならない所に保持される。ユーザーが飲んで、ボトルの中身が取り出されるにつれて、空気が通気開口部６６４を通り、更にリーフバルブ６６８を通ってボトルの内部へと入る。ユーザーは、蓋カバー６４２をヒンジ６４６の周囲で旋回させ、蓋カバー５４２のＯリングスプリング６５２の張力に打ち勝つことによって、蓋カバーを閉位置に向けて動かすことができる。蓋カバーが閉位置に達すると、蓋カバーのキャッチ延長部６８２がボタントンネル７１２のキャッチ開口部６８０に入り、ボタン６５８のキャッチノーズに係合する。ボタンスプリング７１８の圧縮力は封じられ、ボタン６５８のピンノッチ内のボタンピン７２０によってボタンが摺動してキャッチ延長部６８２を収容することができる。完全に閉じると、ボタンが係合位置にきちんとはまって閉じた蓋カバー６４２を保持し、ノズルストッパー６６０がノズル７１０を覆い、通気シール６４８が通気開口部６６４を覆う。蓋は、漏れに対して密封されるように構成される。
【０１４７】
図５３を参照すると、蓋６４０は、ボタン６５８、ボタンスプリング７１８、及びボタンピン７２０を収容するためのボタントンネル６８４を備えている。ノズルストッパー６６０と通気シール６４８は、蓋カバー６４２に嵌合する。キャリーループ６５６及びヒンジピン７２２が蓋６４０と蓋カバー６４２を互いに接続する一方で、Ｏリングスプリング６５２は蓋と蓋カバーの互いに対する移動を付勢する。ボトルガスケット６７８はボトルに対して蓋６４０を密封し、ガスケットスリーブ６７４はフィルターアセンブリの移送管に対して蓋６４０を密封する。保持リング６８８は、リーフバルブ６６８を保持する。
【０１４８】
図５４に示す更なる実施形態において、フィルターカートリッジホルダー７３０及びフィルターカートリッジ７３２は、ホルダー７３０及びカートリッジ７３２を互いに密封係合状態で係合させるためのロック（ツイストロックとも呼ばれる）を備えている。特に、フィルターカートリッジホルダー７３０は、円筒状フィルターホルダー７３０まで延在する移送管７３４を有しており、このホルダーは、内壁７３６を有し、壁７３６の円周の周囲に延在するシール段差部７３８を備えている。壁７３６は、軸方向部分７４２と傾斜部分又は傾斜チャネル７４４を含む２つの係止スロット又はチャネル７４０を備えている。スロット又はチャネル７４０はフィルターホルダーの壁を通って延在しているが、フィルターホルダーの壁のリセスとして構成してもよい。ロックの傾斜部分又は傾斜チャネル７４４は、回転運動を含む、フィルターホルダーとフィルターカートリッジの互いに対する運動によって係止を行う。円筒状フィルターカートリッジホルダー７３０の開放端にある係止スロット７４０の端部には、支持リング７４６を備えている。支持リング７４６は、スロット７４０の軸方向部分７４２のスロット開口部７４８を超えて広がっており、このスロットはスロット開口部７４８から半径方向外方の位置にある。支持リング７４６はフィルターホルダー７３０を一周し、フィルターホルダー７３０の円筒状壁からその上端で外方に突出する。ガスケット７５０は、フィルターホルダー７３０の下端に取り付けられて、飲料濾過ボトルの内壁と密封係合する。
【０１４９】
フィルターカートリッジ７３２はフィルター要素を収容することができ、移送管７３４を収容するための中央開口部７５２と、飲料がそれを通って流れて、フィルターカートリッジ７３２内に収容されるフィルター要素等のフィルター媒体によって濾過される上部壁の開口部７５４とを備えている。フィルターカートリッジ７３２は円筒状外面７５６を有しており、この外面７５６にはそこから外方に突出する密封リブ７５８が設けられている。密封リブ７５８は、フィルターカートリッジ７３２がフィルターホルダー７３０内に完全に取り付けられているときに、フィルターホルダー７３０内の密封段差部７３８を押圧して密封係合する。密封係合は、カートリッジホルダー７３０からカートリッジ７３２を挿脱するのに比較的大きな力を必要とするくらい十分にきつくてもよい。ユーザーがフィルターカートリッジ７３２を密封状態でフィルターカートリッジホルダー７３０に配置するための力を発揮するのを助けるため、円筒状外面７５６から延在する突出部７６０が設けられる。突出部７６０は、係止スロット７４０内に位置決めされる。カートリッジ７３２がフィルターカートリッジホルダー７３０に対して回転するにつれて、突出部７６０はスロット７４０に沿って動き、カートリッジ７３２は、突出部がスロット７４０の傾斜面に沿って移動するので、密封リブ７５８が密封段差部７３８と密封係合した状態でフィルターホルダー７３０内の略密封位置に移る。
【０１５０】
フィルターホルダー７３０へのフィルターカートリッジ７３２の挿入は、それに伴って押圧力が発揮されるので、ユーザーが比較的容易に達成することができる。しかしながら、ホルダー７３０からのカートリッジ７３２の取り外しには、カートリッジ７３２の挿入と比較してユーザーのより大きな力が必要になる。カートリッジ７３２を取付回転と反対方向に回転させることによって、ユーザーはカートリッジホルダー内の密封位置からカートリッジ７３２を取り外すことが可能になる。これは、突出部７６０が係止スロット７４０の傾斜部分７４４の傾斜面に沿って移動するためである。カートリッジ７３２はこのようにして、ユーザーがより簡単に取り外すことができる。
【０１５１】
ユーザーによるカートリッジ７３２の回転を容易にするために、リブ付きグリップリング７６２がフィルターカートリッジ７３２の上端に沿って設けられる。リブ付きグリップリング７６２は、ユーザーが把持しやすいようにフィルターホルダー７３０の上方及び外方に突出している。グリップリング７６２は、カートリッジをホルダー７３０内に取り付けるための第１の方向への回転と、カートリッジをフィルターホルダー７３０から取り外すための反対方向への回転の両方に用いることができる。グリップリング７６２によって、係合が非常にきつい場合であっても、ユーザーが密封リブ７５８を密封段差部７３８から外すことが可能になる。
【０１５２】
密封リブ７５８が密封段差部７３８から離されると、傾斜スロット７４４内を動く突出部７６０によってもたらされる傾斜回転力が必要なくなる。この時点で、突出部７６０はスロットの軸方向部分７４２内にあり、カートリッジを容易に取り外すことができる。
【０１５３】
図５５は、突出部７６０が係止スロット７４０の入口７４８に位置しているカートリッジ７３２を示している。カートリッジ７３２は、図示の位置から、カートリッジ７３２の円筒状壁７３６がホルダー７３０に嵌合するように、ユーザーによって移送管７３４に沿って軸方向に押圧される。突出部７６０は、支持リング７４６の後ろに移動することによってスロット７４０に入り、軸方向部分７４２に沿って移動する。傾斜部分７４４に達すると、突出部は軸方向と円周方向の両方に移動し始めて、フィルターカートリッジ７３２をホルダー７３０の所定の位置に回転させる。ユーザーは、リブ付きグリップリング７６２を把持してカートリッジ７３２を所定の位置に移動させることができる。
【０１５４】
図５６を参照すると、カートリッジ７３２はカートリッジホルダー７３０内に完全に取り付けられている。突出部７６０は、スロット７４０の傾斜部分７４４の端部に位置している。これにより、カートリッジ７３２の密封リブがホルダー７３０の密封段差部に押されて密封係合することになり、それによってカートリッジとホルダーの間に水密シールが形成される。ガスケット７５０は、ボトルの内部との水密シールを形成する。このことにより、ボトルの濾過済み飲料室が未濾過飲料室から密封される。
【０１５５】
図５６から容易に分かるように、グリップリング７６２は、カートリッジが完全に取り付けられているときはカートリッジホルダー７３０の外に延在して、ユーザーがグリップリング７６２を把持して容易にカートリッジを取り外すことができるようになっている。フィルターカートリッジは容易に取り外して、新しいカートリッジを挿入することができるようになっている。
【０１５６】
図５７を参照すると、係止スロット７４０の閉鎖端部内の完全取付位置にある突出部７６０が示されている。特定の実施形態では、スロット７４０は、スロット７４０に沿って突出部７６０が自由運動を行うように構成されている。この図に示す代替実施形態では、スロット７４０は、スロット７４０内に延在するバンプ７６４のために狭くなっている。バンプ７６４はスロット７４０を十分にくびれさせて、スロットに沿った突出部７６０の通過を妨害するが、力を受けたときは依然として突出部がスロット７４０に沿って移動することができるようにする。突出部７６０はバンプ７６４によって完全取付位置に保持されるが、突出部７６０を完全取付位置からバンプ７６４を超えて移動させるのに必要なのはユーザーのほんの僅かなねじり力だけである。特定の実施形態では、バンプ７６４は存在しない。スロット７４０内の軸方向経路、そして傾斜経路に沿った突出部７６０の経路は、矢印で示している。
【０１５７】
カートリッジ７３２の側面図は、図示の実施形態では２つの突出部７６０が設けられていることを示している。１つの突出部を設けること、又は２つ以上の突出部を設けることも考えられる。突出部７６０は円形状突出部として示されているが、その他の形状も可能である。突出部を収容するためのスロットはホルダーの貫通開口部として示されているが、その代わりにホルダーの外側に対して閉鎖されたチャネルとして形成してもよい。スロットは軸方向部分及び傾斜部分を有するものとして示されているが、傾斜部分のみ、軸方向部分のみ、又はその他の形状の部分を有してもよい。密封リブ７５８はカートリッジ上に示されているが、その代わりに密封リブをカートリッジホルダー内に設けると共に、段差部又はその他の密封面をカートリッジ上に設けてもよい。カートリッジとカートリッジホルダーの間のシールのその他の構成もまた可能であり、本発明の技術的範囲内である。
【０１５８】
図５９は、フィルターカートリッジ７３０及びカートリッジ７３２を図５６の線Ｃ−Ｃに沿った断面で示している。カートリッジ７３２は、移送管７３４の上を通してフィルターホルダー７３０内に収められており、突出部７６０がホルダー７３０のスロット７４０を通って延在している。グリップリング７６２は、フィルターホルダー７３０から、ユーザーがグリップリング７６２を把持して回転させ、それによってフィルターカートリッジ７３２を除去又は交換することができる位置まで延在する。フィルターカートリッジ７３２は、そこに未濾過飲料室内の飲料が流れ込む上部フィルターカバー７６６の開口部と、その中にフィルター媒体及び／又はその他の材料が供給される内部空間７６８と、それを通って濾過済み飲料がボトルの濾過済み飲料室へと流れ込む開口部を備えると共に、フィルター媒体を内部空間７６８内に保持する底部フィルターカバー７７０とを有する。フィルターホルダー７３０は、フィルターカートリッジ７３２を支持する底部７７２を有し、濾過済み飲料用の流体流開口部が設けられている。
【０１５９】
移送管７３４は、濾過済み飲料室に開口し、ユーザーが飲むための移送管に大量の濾過済み飲料を入れることができる張り出し下端部７７４を有する。張り出し下端部７７４は段差部が付けられているが、漸増径形状又はその他の形状も可能である。ガスケット７５０は、フィルターホルダー７３０の下端の小径部分に配置された隆起リブに取り付けられる。ガスケット７５０は、フィルターホルダーが入れられるボトルの内壁と接触するその外面に複数の外方延在薄肉リブを含んでいる。
【０１６０】
図６０（ａ）及び６０（ｂ）は、フィルターカートリッジ７３２の密封リブ７５８の拡大図であり、フィルターカートリッジホルダー７３０の密封段差部７３８に押圧されている。フィルターカートリッジ７３２がカートリッジホルダー７３０に挿入されるとき、密封リブ７５８は、リブ７５８が段差部７３８に達するまでホルダー７３０の内部とほとんど又は全く接触しないことになる。段差部７３８において、リブ７５８（フィンとも呼ばれる）は、段差部７３８を押圧しながら変形して流体密封シールを形成する。段差７３８にかかる変形リブ又はフィン７５８の力は、回転力の発揮でカートリッジを回転方向及び軸方向の両方に動かす傾斜スロットによる助けがもしなかったら、ユーザーがカートリッジ７３２をホルダー７３０から取り外すのに比較的大きな力を十分発揮することが必要になる。これは、シール領域が濡れていて、飲料の表面張力に静止摩擦が加わることで、表面の互いに対する初期移動が防止又は抑止される場合に特に当てはまる。
【０１６１】
ホルダー７３０へのカートリッジ７３２の挿入中、リブ又はフィン７５８は、段差部７３８に達するまでカートリッジの表面から半径方向に延在している。ホルダー７３０の内壁７３６と段差部７３８の間の移行部として、ランプ７７６が設けられる。ランプ７７６は、リブが屈曲して段差部７３８の上に載るときに損傷を与えずにリブ又はフィン７５８を屈曲させる。もちろん、カートリッジとホルダーの間の空間を密封するために複数のリブ又はフィンを設けてもよい。リブ又はフィンは、どちらかの構成要素、又は両方から延在させてもよい。
【０１６２】
本明細書に開示した濾過又は処理システムは、化学汚染物質、バクテリア、原生動物、シスト、粒子、及び、場合によってはウィルスを含むその他の水質汚染物質を含む、ほとんど又は全ての汚染物質を飲料から除去することができる。しかしながら、サイズが小さいため、一部のウィルスが濾過済み飲料に残ることがある。例えば、濾過済み飲料から生存ウィルスを排除するための更なる手段を含む濾過又は処理システムの別の実施形態を図６１に示す。濾過又は処理システムのこの実施形態では、ボトル本体７８０は、未濾過飲料室７８４を形成する内部空間へのねじ開口部７８２を備えている。ねじ開口部は、雌ねじ開口部である。ボトル本体７８０は、内部にフィルターホルダー及びフィルターカートリッジが配置されており、これらは、本明細書において示したタイプのものであり、図６１で見られる移送管７８６の端部に配置される。
【０１６３】
蓋７８８は、ボトル本体７８０のねじ山７８２に嵌合する雄ねじ部分７９０を有する。蓋カバー７９２は、解除ボタン７９４を操作することによって閉位置から解除可能である。蓋カバー７９２の下には、飲料ノズル又はその他の分配開口部が設けられており、これは、移送管７８６を介してノズルに流れる濾過済み又は処理済み飲料を飲んだり分配したりするためのものである。
【０１６４】
ボトル本体７８０の反対端部には、更に雌ねじ開口部７９６も有する。紫外線飲料処理機構は、開口部７９６に固定されるように構成された紫外線殺菌装置ユニット７９８を含む。紫外線殺菌装置ユニット７９８は、開口部７９６と係合するように構成された雄ねじ部分８００と、紫外線をボトル本体の内部に透過させるために配置される紫外線透過部分８０２と、紫外線を作動又は停止させるように操作可能な電源スイッチ８０４とを含む。ボトル本体７８０は、流体が開口部７９６に出入りできない内部濾過済み飲料室を有しているが、紫外線殺菌装置ユニット７９８によって生成された紫外線がボトル本体７８０内の濾過済み飲料室に到達することができるようにする紫外線透過部分を含んでいるのが好ましい。紫外線殺菌装置ユニット７９８はボトル本体から分離可能で、バッテリー交換等の修理が可能であるが、ボトル本体から分離できない紫外線殺菌装置ユニットもまた本発明の技術的範囲内である。
【０１６５】
図６２は、紫外線殺菌装置ユニット７９８の一実施形態を示している。雄ねじ部分８００は、ボトル本体の雌ねじ開口部に嵌合する小径段差部分でユニット７９８の上部の周囲に延在する。円筒外面８０６は、通常、紫外線殺菌装置ユニット７９８がボトル本体に取り付けられたときにボトル本体と連続外面を形成するように、ボトル本体と同じ直径を有する。この図では、紫外線透過部分８０２が紫外線殺菌装置ユニット７９８から取り外されて、紫外線発光バルブ８０８が見えている。紫外線発光バルブ８０８は、紫外線発光バルブ８０８に対する支持と電力供給を行うクリップ８１０内に取り付けられる。紫外線発光バルブ８０８の下には、紫外線発光バルブ用の電源装置及び制御回路を入れるためのハウジングがある。紫外線発光バルブ８０８を作動させるための電源スイッチはユニット７９８の反対側にあって、この図では見えない。他のスイッチ位置もまた可能である。紫外線発光装置の他の構成も可能であり、本発明の技術的範囲内である。
【０１６６】
図６３では、紫外線殺菌装置ユニット７９８がボトル本体７８０の雌ねじ開口部に取り付けられている。紫外線発光バルブ８０８は、紫外線殺菌装置ユニット７９８の紫外線透過部分８０２を通して、更にボトル７８０の紫外線透過部分８１２を通して紫外線を透過させるように機能する。電源制御部８１４は紫外線殺菌装置ユニット７９８内に配置されており、バッテリー及び紫外線制御回路を含んでいることが好ましい。電源スイッチ８０４は、殺菌装置ユニット７９８の側で利用できる。例えば電源スイッチ８０４の操作によって、ユーザーが紫外線殺菌装置ユニット７８９を作動させると、紫外線発光バルブ８０８が発した紫外線が濾過済み飲料室８１６内の任意の飲料に透過される。濾過済み飲料室８１６内の飲料は、未濾過飲料室７８４からフィルター８１８のフィルター媒体を通過してきている。そのため、あらゆる粒子並びに多くの化学及び生物的汚染物質が既に除去されている。フィルターを通過したかもしれないウィルス及びその他の小さな汚染物質は、紫外線による飲料の更なる殺菌によって死滅することになる。従って、化学薬品や複雑な高圧濾過機構に頼らずに、更なる安全性の下で水又はその他の飲料を飲んだり用いたりすることができる。ユーザーは、濾過又は処理システムのノズルから飲料を飲んだり、その飲料を料理、洗濯などに分けて使用したりすることができる。ノズル、解除カバー、蓋のバルブ及びシール、キャリーループ、内部フィルターホルダー支持体、並びに蓋及びボトル本体のその他の構造は、本明細書で詳細に説明した実施形態で示したものと同様であり、当業者であればその構造及び作用を十分理解できるため、更なる説明はここでは示さない。
【０１６７】
代替実施形態が図６４に示されており、フィルターカートリッジ８２０がロックボタン８２４に隣接するリブ付き把持部分８２２を有している。ロックボタン８２４は、把持部分８２２を押すことによって内側に変形可能である。フランジ８２６がフィルターカートリッジ８２０の上端の周囲に設けられ、密封リブ又はフィン８２８がフィルターカートリッジ８２０の円筒壁から延在して設けられている。
【０１６８】
図６５では、フィルターカートリッジ８２０を側面図で示す。２つのリブ付き把持部分８２２が、フィルターカートリッジ８２０の両側に１つずつ設けられる。２つのロックボタン８２４が、各々把持部分８２２に隣接して設けられる。カートリッジ８２０の、フランジ８２６と反対の下端にアライメントノッチ８３０が形成される。
【０１６９】
図６６は、底部フィルターカバー８３２が取り外されたフィルターカートリッジ８２０を示している。底部フィルターカバー８３２は所定の位置に固定されて、フィルターカートリッジの媒体室８３４を包囲する。フィルターカバー８３２は、フィルターカートリッジ８２０のカートリッジ本体８２１に永久的に取り付けられるのが好ましい。アライメントノッチ８３０は、フィルターカートリッジ本体８２１の対向端の厚壁部分８３６に設けられる。フィルターカバー８３２は、フィルターカバー８３２がカートリッジ本体８２１に取り付けられたときにノッチ８３０と整合するノッチ８３８を更に有する。他の実施形態と同様に、図示のフィルターカートリッジ８２０は、フィルターホルダーの移送管を受け入れるための中央開口部８４０と、開口部８４０内の密封リブ又はフィン８４２と、カートリッジ本体８２１の流体流開口部８４４及びフィルターカバー８３２の流体流開口部８４６とを有する。
【０１７０】
図６７では、フィルターカートリッジ８２０が示されており、把持部分８２２を受け入れるためのリセス８５０と、ロックボタン８２４を収容するための開口部８５２とを有するフィルターホルダー８４８に取り付けられている。フィルターカートリッジ８２０は、ロックボタン８２４が開口部８５２に達するようにフィルターホルダー８４８に挿入すると、所定の位置にパチンとはまる。フィルターカートリッジ８２０は、リブ付き把持部分８２２を把持して内方に押しながら、ロックボタン８２４が開口部８５２から解放されるようにフィルターカートリッジ８２０をフィルターホルダー８４８から引っ張ることによって取り外される。フィルターカートリッジ８２０をフィルターホルダー８４８から解除した後、移送管８５４を外すことができ、新しいフィルターカートリッジを取り外されたカートリッジの所定の位置に挿入することができる。
【０１７１】
図６８は、フィルターホルダー８４８の内壁の下部分にある突出部８５６を示している。突出部８５６は、フィルターカートリッジ８２０のノッチ８３０に嵌合する。フィルターホルダー８４８は、リブ付き把持部分８２２を受け入れるためのリセス８５０が設けられている場所以外は、フィルターカートリッジ８２０の円周の周囲のフィルターカートリッジ８２０のフランジ８２６まで延在する。
【０１７２】
図６９は、フィルターホルダー８４８の開口部８５２内に延在する位置にあるロックボタン８２４を示している。リブ付き把持部分８２２は、リセス８５０内に配置される。係止ボタン８２４は自由端の角が丸くなっていて、係止ボタンを内方に押し下げて、フィルターカートリッジ８２０がフィルターホルダー８４８から引っ張られたときにフィルターカートリッジ８２０の壁を僅かに変形させることができる。このフィルターカートリッジ壁の内方変形が、場合により、フィルターホルダー壁の外方変形と、ユーザーが把持部分８２２にかける内向き圧力と相まって、フィルターカートリッジ８２０がフィルターホルダー８４８から解除されることになる。係止ボタン８２４の丸角は更に、フィルターカートリッジ８２０をフィルターホルダー８４８の係止及び完全挿入位置に挿入するのを容易にする。
【０１７３】
図７０では、フィルターカートリッジ８２０が所定の位置に配置されて完全に挿入されたとき、フィルターホルダー８４８の内壁の突出部８５６がフィルターカートリッジのノッチ８３０内に延在している。所定の位置に配置されていないか、又は突出部を収容するためのノッチが欠けているフィルターカートリッジは、完全取付及び密封状態でホルダー８４８内に挿入することができない。図示の実施形態の把持部分８２２及びロックボタン８２４は、ノッチ８３０及び突出部８５６から円筒状フィルターカートリッジの一周のほぼ４分の１に配置される。その他の構成の突出部、係止ボタン、及び／又は把持部分も可能であり、本発明の技術的範囲内である。例えば、ノッチ及び／又は突出部をより多く又は少なく設けてもよく、他の形状又は配置のノッチ及び突出部を設けてもよく、係止ボタンをより多く又は少なく設けてもよい。これらの要素の１つ又はそれ以上を排除してもよい。これら及びその他の配置及び係合機構は、カートリッジのホルダーへの適切な配置及び位置決めを保証し、且つ、適切に寸法決め及び構成されたカートリッジを提供することによって、フィルターホルダーとフィルターカートリッジの間の流体密封シールを確保することを保証するように構成される。流体密封シールがない場合、未濾過の、場合によっては汚染された飲料がフィルターを飛び越えて、濾過済み飲料室に到達する可能性がある。
【０１７４】
図７１を参照すると、紫外線殺菌装置ユニット８６０は、係止ラグコネクタ８６２を用いてボトル本体の底部に固定されるように構成されている。係止ラグコネクタは、本明細書で説明した別の実施形態のねじ込み式コネクタの代わりに設けられる。ラグコネクタ８６２は、そこから２つのフランジ８６６が延在する中央円筒部分８６４を含んでおり、２つのフランジは円筒部分８６４の円周の一部を越えて半径方向外方に突出して、フランジ８６６の下に保持空間８６８を形成する。フランジ８６６の第１回転方向の端部には、ストップ８７０がある。各フランジ８６６の下側には、保持バンプ８７２が設けられる。紫外線殺菌装置ユニット８６０内の紫外線源によって光がそれを通して発せられるレンズ８７４は、円筒状突出部８６４の中央に配置される。
【０１７５】
図７２は、ボトル本体８７６から係合解除された紫外線殺菌装置ユニット８６０を示している。ボトル本体８７６は、その円周の一部の上にボトル本体８７６の下縁から内方に延在する共働ラグ８７８を有する。ラグ８７８間の空間は、紫外線殺菌装置ユニット８６０のフランジ８６６を受け入れて、紫外線殺菌装置ユニットがボトル本体８７６の底部に固定されるようになっている。ボトル本体８７６に対して紫外線殺菌装置ユニット８６０を回転させることによって、ボトル本体８７６の共働ラグ８７８は紫外線殺菌装置ユニット８６０の保持空間８６８内に移動する。継続して回転させることによって、ラグ８７８が保持バンプ８７２と接触してストップ８７０にぶつかることになる。このことにより、紫外線殺菌装置ユニット８６０がボトル本体８７６の底部に固定される。レンズ８７４を通して発せられた紫外線は、ボトル本体８７６の底部パネル８８０を通して、ボトル本体の濾過済み飲料室に透過される。
【０１７６】
ボトル本体８７６からの紫外線殺菌装置ユニット８６０の取り外しは、ラグ８７８が保持空間８６８から抜け出るようにボトル本体８７６に対して紫外線殺菌装置ユニット８６０を逆回転させることで、ラグ８７８及びフランジ８６６を互いに解き、それによって紫外線殺菌装置ユニットをボトル本体から緩めるようにすることによって達成される。紫外線殺菌装置ユニットをボトル本体に取り付けるための他の固定手段もまた可能であり、本発明の技術的範囲内である。
【０１７７】
紫外線殺菌装置ユニット８６０は回転して、ボトル本体８７６に取り付けられ、そこから取り外される。特定の実施形態では、紫外線殺菌装置ユニットは、その間に回転グリップ８８４があるリセス８８２を有しており、ユーザーはその回転グリップによって紫外線殺菌装置ユニットを把持することができ、紫外線殺菌装置ユニットが取付及び解除中に動くときのグリップが向上する。他の形状のグリップ向上手段もまた可能である。
【０１７８】
図７３は、飲料濾過又は処理システム８９０の更に別の実施形態を示す。濾過又は処理システム８９０は、フィルターカートリッジ９００を収容するフィルターホルダー８９８によって分けられた未濾過飲料室８９４及び濾過済み飲料室８９６を有するボトル本体８９２を含む。移送管９０２は、濾過済み飲料室８９６から蓋９０６の中のノズル９０４まで延在する。蓋カバー９０８は、ノズル９０４の開放端に係合して飲料の漏れを防止又は削減するノズルストッパー９１０を備えている。蓋カバー９０８が開いているとき、未濾過飲料室８９４内の未濾過飲料は比較的急速にフィルターカートリッジ９００を通過し、流入する飲料によって追い出された濾過済み飲料室内の空気は移送管９０２を通過してボトル８９０から出る。未濾過飲料室８９４内の未濾過飲料は、蓋９０６内の通気バルブ９１２を通過する空気に入れ替わる。
【０１７９】
例えば図４７に示した実施形態において図７３の部品番号を参照すると、蓋カバー９０８が閉位置にあり、それによって外気が飲料室に出入りすることができないように気密シールで飲料室を密封した場合、フィルターを通した飲料の濾過によって飲料室間に圧力差が生じることになる。この圧力差は、未濾過飲料室８９４内の飲料が濾過方向にフィルターを通過するときに、濾過済み飲料室８９６内の空気がゆっくりと移動すること、又はフィルターカートリッジ９００を逆方向に全く通り抜けないことのためである。圧力差によって、飲料の飲料濾過速度が減速することになる。飲料濾過速度を増加させるために、ノズル９０４と通気バルブ９１２の間に接続された空気再循環部材９１４（バイパス管とも呼ばれる）が設けられる。空気再循環部材９１４は、ノズル９０４の第１空気再循環口９１６と、通気バルブ９１２の上の蓋９０６の第２空気再循環口９１８とに接続される。空気再循環部材９１４は、空気再循環チャネルを形成し、空気が濾過済み飲料室８９６から、移送管９０２を通り、ノズル９０４を通って通気バルブ９１２まで流れて、未濾過飲料室８９４に流れ込む。空気再循環部材９１４を通る空気の流れ又は再循環によって、未濾過飲料室及び濾過済み飲料室間に生じる気圧差が軽減されて、蓋カバー９０８が閉じているときに飲料がフィルターカートリッジ９００を通ってより速い速度で流れるようになる。空気再循環チャネルを有する実施形態の濾過速度は、蓋カバー９０８が開いていた場合に生じる濾過速度と等しくなる。通気バルブ９１２は、未濾過飲料室８９４から濾過済み飲料室８９６への空気又は飲料の逆流を防止又は削減する。
【０１８０】
図示の空気再循環チャネルは、蓋カバーが閉じている状態での飲料の高速濾過を可能にする空気再循環チャネルの一実施形態に過ぎない。本発明は、当業者には明らかなように、空気バイパス又は再循環通路及び／又は圧力逃がし手段の他の実施形態も包含する。空気再循環チャネルの利用により、例え蓋カバーが閉じていても飲料が漏れたりこぼれたりするリスクを増加させることなく、飲料の急速な濾過が促進される。
【０１８１】
図７３は、移送管９０２の上端の一部の上及び周囲に配置された移送管ガスケット９０１も示している。移送管ガスケット９０１は、移送管９０２がスリーブ９０３内に配置されているときに、移送管９０２の上端と蓋のスリーブ９０３の間のシールを形成するように構成される。特定の実施形態では、シールは流体密封シールであって、蓋９０６が所定の位置にあるときに未濾過飲料室内の流体がノズル９０４から漏れ出ることがないようにすることができる。移送管ガスケット９０１は、蓋９０６がボトル本体８９２から取り外されたときに移送管９０２の上端に残るように構成される。移送管ガスケット９０１は、液密シールを円滑にするために柔らかい可撓性材料で形成される。
【０１８２】
図７４では、蓋カバー９０８は、ノズル９０４を閉鎖するノズルストッパー９１０を備えている。図４５の蓋カバーと比べて、図７４の蓋カバー９０８はリセス６４４が欠けており、その代わりに、蓋カバー９０８が閉位置にあるときに空気再循環部材又はバイパス管９１４を収容する形状の傾斜面９２０を有している。蓋カバー９０８は、本明細書の他の場所で説明した実施形態と同様のキャリーループ、ヒンジ、ラッチ及びその他の機構を有しているが、ここでは更に詳細には説明しない。
【０１８３】
図７５は、図７３の蓋９０６を示しており、蓋カバー９０８が開位置にあってノズル９０４が見えている。ノズル９０４から飲むユーザーの邪魔にならない位置でノズル９０４と蓋９０６とに接続されたバイパス管９１４が設けられている。
【０１８４】
図７６を参照すると、ノズル９０４及びノズル９０６から取り外されたバイパス管９１４が示されており、空気再循環口９１６及び９１８が見えている。空気再循環口９１６及び９１８は、空気再循環部材９１４内の開口部に延在する管状コネクタを含む。空気再循環部材又はバイパス管９１４は、通常はノズル及び蓋に取り付けられたままだが、例えば、取り外して洗浄することができる。
【０１８５】
本明細書に示す蓋は、濾過性能を有するボトル本体と共に使用するのが好ましく、水又はその他の液体をボトル本体内で濾過又は処理し、濾過済み又は処理済み液体をノズルを通してボトルから飲むか、ボトル本体から分配するようになっている。しかしながら、蓋及びそれらの様々な機構及び構成要素は、フィルター又は処理要素を含む必要のないボトル本体又はその他の容器と共に使用してもよい。同様に、本明細書において開示した蓋、ボトル、フィルターホルダー、シール、ガスケット、又はその他の要素は、一般にボトル、蓋、容器等に設けられているものと同様に本明細書において開示したその他のそのような機構、構造、構成要素、外観、及び機能と置き換えて設けてもよい。
【０１８６】
従って、ユーザーが迅速且つ簡単に未濾過飲料又は未処理飲料を添加することができる飲料濾過又は処理システムが図示及び説明されており、その飲料の少なくとも一部がフィルター要素又は処理要素を通過した後、ユーザーはボトルから濾過済み又は処理済み飲料を飲むことができる。ユーザーは、飲むときにフィルター要素を通して飲料を吸い込もうとする必要はなく、フィルターに邪魔されずに濾過済み飲料を簡単に注ぐことができる。濾過済み又は処理済み飲料は、ノズル又はその他の開口部から直接飲んだり、グラス、カップ、又はその他の容器に注いだりすることができる。飲料フィルター要素は、ユーザーが容易に変えられる。飲用管が中央に位置することにより、ユーザーが濾過済み飲料を飲むためにボトルをある方向に向ける必要がなくなる。例えボトルの回転配向が起ころうとも、ボトルに対して同じ飲用動作が適用される。
【０１８７】
本発明の実施形態は、重力供給飲料濾過又は処理システムを包含し、これは、ボトル内の飲料フィルター又は処理要素の上に飲料を縦に並べて配置し、ユーザーがフィルター又は処理要素の下の濾過済み又は処理済み飲料室から飲むことができるようにするものである。図示の実施形態の中央に配置された移送管は、濾過済み又は処理済み飲料を濾過済み又は処理済み飲料室から得るための１つの手段に過ぎない。濾過済み又は処理済み飲料室から飲料を得るためのその他の手段も本発明の技術的範囲内である。
【０１８８】
当業者によってその他の修正及び変更が提案される可能性があるが、合理的且つ適正に当該技術に対する寄与範囲内にある全ての変更及び修正を本書を根拠とする特許内で具現化することは本発明者の意図するところである。
【図１】
2015006658.tif 000003
【図２】
2015006658.tif 000004
【図３】
2015006658.tif 000005
【図４】
2015006658.tif 000006
【図５】
2015006658.tif 000007
【図６】
2015006658.tif 000008
【図７】
2015006658.tif 000009
【図８】
2015006658.tif 000010
【図９】
2015006658.tif 000011
【図１０】
2015006658.tif 000012
【図１１】
2015006658.tif 000013
【図１２】
2015006658.tif 000014
【図１３】
2015006658.tif 000015
【図１４】
2015006658.tif 000016
【図１５】
2015006658.tif 000017
【図１６】
2015006658.tif 000018
【図１７】
2015006658.tif 000019
【図１８】
2015006658.tif 000020
【図１９】
2015006658.tif 000021
【図２０】
2015006658.tif 000022
【図２１】
2015006658.tif 000023
【図２２】
2015006658.tif 000024
【図２３】
2015006658.tif 000025
【図２４】
2015006658.tif 000026
【図２５】
2015006658.tif 000027
【図２６】
2015006658.tif 000028
【図２７】
2015006658.tif 000029
【図２８】
2015006658.tif 000030
【図２９】
2015006658.tif 000031
【図３０】
2015006658.tif 000032
【図３１】
2015006658.tif 000033
【図３２】
2015006658.tif 000034
【図３３】
2015006658.tif 000035
【図３４】
2015006658.tif 000036
【図３５】
2015006658.tif 000037
【図３６】
2015006658.tif 000038
【図３７】
2015006658.tif 000039
【図３８】
2015006658.tif 000040
【図３９】
2015006658.tif 000041
【図４０】
2015006658.tif 000042
【図４１】
2015006658.tif 000043
【図４２】
2015006658.tif 000044
【図４３】
2015006658.tif 000045
【図４４】
2015006658.tif 000046
【図４５】
2015006658.tif 000047
【図４６】
2015006658.tif 000048
【図４７】
2015006658.tif 000049
【図４８】
2015006658.tif 000050
【図４９】
2015006658.tif 000051
【図５０】
2015006658.tif 000052
【図５１】
2015006658.tif 000053
【図５２】
2015006658.tif 000054
【図５３】
2015006658.tif 000055
【図５４】
2015006658.tif 000056
【図５５】
2015006658.tif 000057
【図５６】
2015006658.tif 000058
【図５７】
2015006658.tif 000059
【図５８】
2015006658.tif 000060
【図５９】
2015006658.tif 000061
【図６０】
2015006658.tif 000062
【図６１】
2015006658.tif 000063
【図６２】
2015006658.tif 000064
【図６３】
2015006658.tif 000065
【図６４】
2015006658.tif 000066
【図６５】
2015006658.tif 000067
【図６６】
2015006658.tif 000068
【図６７】
2015006658.tif 000069
【図６８】
2015006658.tif 000070
【図６９】
2015006658.tif 000071
【図７０】
2015006658.tif 000072
【図７１】
2015006658.tif 000073
【図７２】
2015006658.tif 000074
【図７３】
2015006658.tif 000075
【図７４】
2015006658.tif 000076
【図７５】
2015006658.tif 000077
【図７６】
2015006658.tif 000078
【外国語明細書】
2015006658000001.pdf